(57)【要約】      （修正有）【課題】アンテナの特徴により複数のコードブックから１つのコードブックを選択することと、選択されたコードブックの指示を送信することと、を含む無線通信方法を提供する。【解決手段】複数のコードブックの各々は、複数のアンテナの特徴のうちの１つと関連付けられる。ユーザ装置からチャネル状態情報が受信される。チャネル状態情報は、ダウンリンクスケジューリング及び／又はプリコーディングを決定するために用いる。チャネル状態情報は、異なるサブバンド粒度と関連付けられたフィードバック要素を含む。フィードバック要素は、プリコーダ列ベクトルの部分組の選択及び／又は送信アンテナの２つのグループ間の位相オフセットを示す。【選択図】図５
2014222916.tif 000002
【特許請求の範囲】
【請求項１】
アンテナの特徴により複数のコードブックから１つのコードブックを選択することであって、前記複数のコードブックの各々は、複数のアンテナの特徴のうちの１つと関連付けられることと、
前記選択されたコードブックの指示を送信することと、を備える、無線通信のための方法。
【請求項２】
前記アンテナの特徴は、アンテナ構成を含む請求項１に記載の方法。
【請求項３】
前記選択されたコードブックの前記指示を前記送信することは、ユーザ装置（ＵＥ）に前記選択されたコードブックの前記指示を送信することをさらに含み、
前記ＵＥからチャネル状態情報フィードバックを受信することをさらに含む請求項１に記載の方法。
【請求項４】
前記チャネル状態情報フィードバックに基づいてダウンリンクスケジューリングを決定すること、及び
前記チャネル状態情報フィードバックに基づくダウンリンクプリコーディングのうちの１つをさらに含む請求項３に記載の方法。
【請求項５】
前記チャネル状態情報フィードバックは、複数のフィードバック情報要素を含む請求項３に記載の方法。
【請求項６】
前記複数のフィードバック情報要素のうちの少なくとも２つは、異なるサブバンド粒度と関連付けられる請求項５に記載の方法。
【請求項７】
前記複数のフィードバック情報要素のうちの少なくとも１つは、送信アンテナの２つのグループ間の位相オフセットを示す請求項５に記載の方法。
【請求項８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項７に記載の方法。
【請求項９】
前記複数のフィードバック情報要素のうちの少なくとも１つは、プリコーダ列ベクトルの部分組の選択を示す請求項５に記載の方法。
【請求項１０】
アンテナの特徴により複数のコードブックから１つのコードブックを選択するための手段であって、前記複数のコードブックの各々は、複数のアンテナの特徴のうちの１つと関連付けられる手段と、
前記選択されたコードブックの指示を送信するための手段と、を備える、無線通信のための装置。
【請求項１１】
前記アンテナの特徴は、アンテナ構成を含む請求項１０に記載の装置。
【請求項１２】
前記選択されたコードブックの前記指示を送信するための前記手段は、ユーザ装置（ＵＥ）に前記選択されたコードブックの前記指示を送信するための手段をさらに含み、
前記ＵＥからチャネル状態情報フィードバックを受信するための手段をさらに含む請求項１０に記載の装置。
【請求項１３】
前記チャネル状態情報フィードバックに基づいてダウンリンクスケジューリングを決定するための手段、及び
前記チャネル状態情報フィードバックに基づいてダウンリンクプリコーディングを決定するための手段のうちの１つをさらに含む請求項１２に記載の装置。
【請求項１４】
前記チャネル状態情報フィードバックは、複数のフィードバック情報要素を含む請求項１２に記載の装置。
【請求項１５】
前記複数のフィードバック情報要素のうちの少なくとも２つは、異なるサブバンド粒度と関連付けられる請求項１４に記載の装置。
【請求項１６】
前記複数のフィードバック情報要素のうちの少なくとも１つは、送信アンテナの２つのグループ間の位相オフセットを示す請求項１４に記載の装置。
【請求項１７】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項１６に記載の装置。
【請求項１８】
前記複数のフィードバック情報要素のうちの少なくとも１つは、プリコーダ列ベクトルの部分組の選択を示す請求項１４に記載の装置。
【請求項１９】
アンテナの特徴により複数のコードブックから１つのコードブックを選択し及び前記選択されたコードブックの指示を送信するように構成された少なくとも１つのプロセッサであって、前記複数のコードブックの各々は、複数のアンテナの特徴のうちの１つと関連付けられる少なくとも１つのプロセッサと、
前記少なくとも１つのプロセッサに結合されたメモリと、を備える、無線通信のための装置。
【請求項２０】
前記アンテナの特徴は、アンテナ構成を含む請求項１９に記載の装置。
【請求項２１】
アンテナの特徴により複数のコードブックから１つのコードブックを選択することを少なくとも１つのプロセッサに行わせるための命令であって、前記複数のコードブックの各々は、複数のアンテナの特徴のうちの１つと関連付けられる命令と、
前記選択されたコードブックの指示を送信することを前記少なくとも１つのプロセッサに行わせるための命令と、を備えるコンピュータによって読み取り可能な媒体、を備える、コンピュータプログラム製品。
【請求項２２】
前記アンテナの特徴は、アンテナ構成を含む請求項２１に記載のコンピュータプログラム製品。
【請求項２３】
複数のコードブックのうちの１つのコードブックの指示を受信することであって、前記複数のコードブックの各々は、複数のアンテナの特徴のうちの１つと関連付けられることと、
前記複数のコードブックのうちの前記コードブックを用いてチャネル状態情報フィードバックを決定することと、
前記チャネル状態情報フィードバックを送信することと、を備える、無線通信のための方法。
【請求項２４】
前記アンテナの特徴は、アンテナ構成を含む請求項２３に記載の方法。
【請求項２５】
前記チャネル状態情報フィードバックは、複数のフィードバック情報要素を含む請求項２３に記載の方法。
【請求項２６】
前記複数のフィードバック情報要素のうちの少なくとも２つは、異なるサブバンド粒度と関連付けられる請求項２５に記載の方法。
【請求項２７】
前記複数のフィードバック情報要素のうちの少なくとも１つは、送信アンテナの２つのグループ間の位相オフセットを示す請求項２５に記載の方法。
【請求項２８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項２７に記載の方法。
【請求項２９】
前記複数のフィードバック情報要素のうちの少なくとも１つは、プリコーダ列ベクトルの部分組の選択を示す請求項２５に記載の方法。
【請求項３０】
複数のコードブックのうちの１つのコードブックの指示を受信するための手段であって、前記複数のコードブックの各々は、複数のアンテナの特徴のうちの１つと関連付けられる手段と、
前記複数のコードブックのうちの前記コードブックを用いてチャネル状態情報フィードバックを決定するための手段と、
前記チャネル状態情報フィードバックを送信するための手段と、を備える、無線通信のための装置。
【請求項３１】
前記アンテナの特徴は、アンテナ構成を含む請求項３０に記載の装置。
【請求項３２】
前記チャネル状態情報フィードバックは、複数のフィードバック情報要素を含む請求項３０に記載の装置。
【請求項３３】
前記複数のフィードバック情報要素のうちの少なくとも２つは、異なるサブバンド粒度と関連付けられる請求項３２に記載の装置。
【請求項３４】
前記複数のフィードバック情報要素のうちの少なくとも１つは、送信アンテナの２つのグループ間の位相オフセットを示す請求項３２に記載の装置。
【請求項３５】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項３４に記載の装置。
【請求項３６】
前記複数のフィードバック情報要素のうちの少なくとも１つは、プリコーダ列ベクトルの部分組の選択を示す請求項３２に記載の装置。
【請求項３７】
複数のコードブックのうちの１つコードブックの指示を受信し、前記複数のコードブックのうちの前記コードブックを用いてチャネル状態情報フィードバックを決定し、及び前記チャネル状態情報フィードバックを送信するように構成された少なくとも１つのプロセッサであって、前記複数のコードブックの各々は、複数のアンテナの特徴のうちの１つと関連付けられる少なくとも１つのプロセッサと、
前記少なくとも１つのプロセッサに結合されたメモリと、を備える、無線通信のための装置。
【請求項３８】
前記アンテナの特徴は、アンテナ構成を含む請求項３７に記載の装置。
【請求項３９】
複数のコードブックのうちの１つのコードブックの指示を受信することを少なくとも１つのプロセッサに行わせるための命令であって、前記複数のコードブックの各々は、複数のアンテナの特徴のうちの１つと関連付けられる命令と、
前記複数のコードブックのうちの前記コードブックを用いてチャネル状態情報フィードバックを決定することを前記少なくとも１つのプロセッサに行わせるための命令と、
前記チャネル状態情報フィードバックを送信することを前記少なくとも１つのプロセッサに行わせるための命令と、を備えるコンピュータによって読み取り可能な媒体、を備える、コンピュータプログラム製品。
【請求項４０】
前記アンテナの特徴は、アンテナ構成を含む請求項３９に記載のコンピュータプログラム製品。
【請求項４１】
ユーザ装置から複数のチャネル位相フィードバック情報要素を受信することであって、前記複数のチャネル位相フィードバック情報のうちの少なくとも２つは、異なるサブバンド粒度と関連付けられることを備える、無線通信のための方法。
【請求項４２】
前記複数のチャネル位相フィードバック情報要素のうちの少なくとも１つに基づいてダウンリンクスケジューリングを決定すること、及び
前記複数のチャネル位相フィードバック情報要素のうちの少なくとも１つに基づいてダウンリンクプリコーディングを決定することのうちの１つをさらに含む請求項４１に記載の方法。
【請求項４３】
前記複数のチャネル位相フィードバック情報要素のうちの少なくとも１つは、送信アンテナの２つのグループ間の位相オフセットを示す請求項４１に記載の方法。
【請求項４４】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項４３に記載の方法。
【請求項４５】
ユーザ装置から複数のチャネル位相フィードバック情報要素を受信するための手段であって、前記複数のチャネル位相フィードバック情報要素のうちの少なくとも２つは、異なるサブバンド粒度と関連付けられる手段、を備える、無線通信のための装置。
【請求項４６】
前記複数のチャネル位相フィードバック情報要素のうちの少なくとも１つに基づいてダウンリンクスケジューリングを決定するための手段、及び
前記複数のチャネル位相フィードバック情報要素のうちの少なくとも１つに基づいてダウンリンクプリコーディングを決定するための手段のうちの１つをさらに含む請求項４５に記載の装置。
【請求項４７】
前記複数のチャネル位相フィードバック情報要素のうちの少なくとも１つは、送信アンテナの２つのグループ間の位相オフセットを示す請求項４５に記載の装置。
【請求項４８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項４７に記載の装置。
【請求項４９】
前記複数のコードブックのうちの１つのコードブックを用いて複数のチャネル位相フィードバック情報要素を決定することであって、前記複数のチャネル位相フィードバック情報要素のうちの少なくとも２つは、異なるサブバンド粒度と関連付けられることと、
基地局に前記複数のチャネル位相フィードバック情報要素を送信することと、を備える、無線通信のための方法。
【請求項５０】
前記複数のチャネル位相フィードバック情報要素のうちの少なくとも１つは、送信アンテナの２つのグループ間の位相オフセットを示す請求項４９に記載の方法。
【請求項５１】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項５０に記載の方法。
【請求項５２】
前記複数のコードブックのうちの１つのコードブックを用いて複数のチャネル位相フィードバック情報要素を決定するための手段であって、前記複数のチャネル位相フィードバック情報要素のうちの少なくとも２つは、異なるサブバンド粒度と関連付けられる手段と、
基地局に前記複数のチャネル位相フィードバック情報要素を送信するための手段と、を備える、無線通信のための装置。
【請求項５３】
前記複数のチャネル位相フィードバック情報要素のうちの少なくとも１つは、送信アンテナの２つのグループ間の位相オフセットを示す請求項５２に記載の装置。
【請求項５４】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項５３に記載の装置。
【請求項５５】
ユーザ装置から複数のフィードバック情報要素を受信することであって、前記複数のフィードバック情報要素のうちの少なくとも１つは、プリコーダ列ベクトルの部分組の選択を示すことを備える、無線通信のための方法。
【請求項５６】
前記複数のフィードバック情報要素のうちの少なくとも１つに基づいてダウンリンクスケジューリングを決定すること、及び
前記複数のフィードバック情報要素のうちの少なくとも１つに基づいてダウンリンクプリコーディングを決定することのうちの１つをさらに含む請求項５５に記載の方法。
【請求項５７】
前記複数のフィードバック情報要素のうちの少なくとも１つは、送信アンテナの２つのグループ間の位相オフセットを示す請求項５５に記載の方法。
【請求項５８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項５７に記載の方法。
【請求項５９】
ユーザ装置から複数のフィードバック情報要素を受信するための手段であって、前記複数のフィードバック情報要素のうちの少なくとも１つは、プリコーダ列ベクトルの部分組の選択を示す手段、を備える、無線通信のための装置。
【請求項６０】
前記複数のフィードバック情報要素のうちの少なくとも１つに基づいてダウンリンクスケジューリングを決定するための手段、及び
前記複数のフィードバック情報要素のうちの少なくとも１つに基づいてダウンリンクプリコーディングを決定するための手段のうちの１つをさらに含む請求項５９に記載の装置。
【請求項６１】
前記複数のフィードバック情報要素のうちの少なくとも１つは、送信アンテナの２つのグループ間の位相オフセットを示す請求項５９に記載の装置。
【請求項６２】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項６１に記載の装置。
【請求項６３】
基地局から複数のコードブックのうちの１つのコードブックの指示を受信することであって、前記複数のコードブックの各々は、複数のアンテナの特徴のうちの１つと関連付けられることと、
前記複数のコードブックのうちの前記コードブックを用いて複数のフィードバック情報要素を決定することであって、前記複数のフィードバック情報要素のうちの少なくとも１つは、プリコーダ列ベクトルの部分組の選択を示すことと、
前記基地局に前記複数のフィードバック情報要素を送信することと、を備える、無線通信のための方法。
【請求項６４】
前記アンテナの特徴は、アンテナ構成を含む請求項６３に記載の方法。
【請求項６５】
前記複数のフィードバック情報要素のうちの少なくとも１つは、送信アンテナの２つのグループ間の位相オフセットを示す請求項６３に記載の方法
【請求項６６】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項６５に記載の方法。
【請求項６７】
基地局から複数のコードブックのうちの１つのコードブックの指示を受信するための手段であって、前記複数のコードブックの各々は、複数のアンテナの特徴のうちの１つと関連付けられる手段と、
前記複数のコードブックのうちの前記コードブックを用いて複数のフィードバック情報要素を決定するための手段であって、前記複数のフィードバック情報要素のうちの少なくとも１つは、プリコーダ列ベクトルの部分組の選択を示す手段と、
前記基地局に前記複数のフィードバック情報要素を送信するための手段と、を備える、無線通信のための装置。
【請求項６８】
前記アンテナの特徴は、アンテナ構成を含む請求項６７に記載の装置。
【請求項６９】
前記複数のフィードバック情報要素のうちの少なくとも１つは、送信アンテナの２つのグループ間の位相オフセットを示す請求項６７に記載の装置
【請求項７０】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項６９に記載の装置。
【発明の詳細な説明】
【技術分野】
【０００１】
本開示は、概して、通信に関するものである。本開示は、より具体的には、多入力多出力（ＭＩＭＯ）無線通信システムにおいてコードブックを生成及び使用するための技法に関するものである。
【背景技術】
【０００２】
様々なタイプの通信コンテンツ、例えば音声、データ、等、を提供することを目的として無線通信システムが広範囲にわたって配備されている。これらのシステムは、利用可能なシステムリソース（例えば、帯域幅及び送信電力）を共有することによって複数のユーザとの通信をサポートすることが可能な多元接続システムであることができる。該多元接続システムの例は、符号分割多元接続（ＣＤＭＡ）システムと、時分割多元接続（ＴＤＭＡ）システムと、周波数分割多元接続（ＦＤＭＡ）システムと、Ｅ−ＵＴＲＡを含む３ＧＰＰロングタームエボリューション（Ｌｏｎｇ  Ｔｅｒｍ  Ｅｖｏｌｕｔｉｏｎ）（ＬＴＥ）システムと、直交周波数分割多元接続（ＯＦＤＭＡ）システムと、を含む。
【０００３】
直交周波数分割多重（ＯＦＤＭ）通信システムは、システム帯域幅全体を実効的に複数の副搬送波に分割し、それらは、周波数サブチャネル、トーン、又は周波数ビンと呼ばれることもある。ＯＦＤＭシステムに関しては、送信されるべきデータ（すなわち、情報ビット）は、コーディングされたビットを生成するために特定のコーディング方式によって最初に符号化され、コーディングされたビットは、多ビットシンボルにさらにグルーブ分けされ、それらが変調シンボルにマッピングされる。各変調シンボルは、データ送信のために用いられる特定の変調方式（例えば、Ｍ−ＰＳＫ又はＭ−ＱＡＭ）によって定義された信号点配置内の１つの点に対応する。各周波数副搬送波の帯域幅に依存することができる各時間間隔で、周波数副搬送波の各々において変調シンボルを送信することができる。従って、ＯＦＤＭは、システム帯域幅全体にわたって減衰量が異なることを特徴とする周波数選択性フェージングに起因するシンボル間干渉（ＩＳＩ）に対処するために用いることができる。
【０００４】
概して、無線多元接続通信システムは、ダウンリンク及びアップリンクでの送信を介して１つ以上の基地局と通信する複数の端末のための通信を同時並行してサポートすることができる。ダウンリンクは、基地局から端末への通信リンクを意味し、アップリンクは、端末から基地局への通信リンクを意味する。この通信リンクは、単入力単出力（ＳＩＳＯ）、多入力単出力（ＭＩＳＯ）、又は多入力多出力（ＭＩＭＯ）システムを介して確立することができる。
【０００５】
ＭＩＭＯシステムは、データ送信のために複数（ＮＴ）の送信アンテナ及び複数（ＮＲ）の受信アンテナを採用する。ＮＴの送信アンテナ及びＮＲの受信アンテナによって形成されるＭＩＭＯチャネルは、空間チャネルとも呼ばれるＮＳの独立したチャネルに分解することができる。概して、ＮＳの独立したチャネルの各々は、１つの次元に対応する。ＭＩＭＯシステムは、複数の送信アンテナ及び受信アンテナによって形成された追加の次元が利用される場合に向上された性能（例えば、より高いスループット及び／又はより高い信頼性）を提供することができる。ＭＩＭＯシステムは、時分割複信（ＴＤＤ）及び周波数分割複信（ＦＤＤ）システムもサポートする。ＴＤＤシステムにおいては、ダウンリンク送信及びアップリンク送信は、同じ周波数領域であり、このため、相互性の原理（ｒｅｃｉｐｒｏｃｉｔｙ  ｐｒｉｎｃｉｐｌｅ）が、アップリンクチャネルからのダウンリンクチャネルの推定を可能にする。これは、アクセスポイントにおいて複数のアンテナを利用可能であるときにアクセスポイントがアップリンクリンクでの送信ビーム形成利得を抽出するのを可能にする。
【０００６】
モバイル無線ブロードバンドネットワーク、又は遠距離通信ネットワークの発展は、高データスループットを要求するアプリケーションを利用時に加入者により良い経験を提供し及び認識されるサービスの質を保証するために割り当てられた帯域幅内でのネットワーク性能の様々な側面（例えば、データレート、ネットワークレーテンシー、制御オーバーヘッド、リソース利用、等）を向上させることが主な対象となっている。通信システム（例えば、ＬＴＥ  Ａｄｖａｎｃｅｄ（ＬＴＥ−Ａ）Ｒｅｌｅａｓｅ  １０）においては、最大4つのレイヤのアップリンク（ＵＬ）空間多重化が広帯域プリコーディングによってサポートされる（例えば、１つのＵＬ成分搬送波当たり単一のプリコーディング行列の利用）。広帯域プリコーディングにおいては、ユーザ装置（ＵＥ）内のアンテナの組内の各アンテナにおいて単一搬送波波形を維持することができ、概して、単一のプリコーディング行列インジケータ（ＰＭＩ）がシグナリングされる。
【０００７】
先端遠距離通信ネットワークは、複数のＵＥのための通信をサポートすることができる複数の基地局を含むことができる。基地局は、複数の送信及び／又は受信アンテナを含むことができる。各ＵＥは、複数の送信及び／又は受信アンテナを含むことができる。ダウンリンク（ＤＬ）送信に関しては、基地局は、送信された信号をプリコーディングするために用いられるコードブックのプリコーダ（例えば、プリコーディング行列）を選択することができる。基地局によるコードブックの選択は、部分的には、ＵＥから受信されたフィードバック信号に依存することができる。幾つかのシステム、例えばＬＴＥ  Ｒｅｌｅａｓｅ８（この開示では“Ｒｅｌ−８”と呼ばれる）、は、４本超の送信アンテナ又は受信アンテナのためのコードブックはサポートすることができない。
【発明の概要】
【０００８】
以下は、該技法及び１つ以上の実施形態についての基本的な理解を提供することを目的として該実施形態の単純化された概要を示すものである。この概要は、すべての企図される実施形態の広範な概略ではなく、又、全実施形態の主要な又は非常に重要な要素を特定するわけではないこと、及びいずれの実施形態の適用範囲も詳述はせず及び全実施形態の適用範囲を詳述するわけではないことが意図される。それの唯一の目的は、後述されるより詳細な発明を実施するための形態の準備段階として、１つ以上の実施形態の幾つかの概念を簡略化された形で提示することである。
【０００９】
一態様においては、無線通信のための方法は、アンテナの特徴（ｃｈａｒａｃｔｅｒｉｓｔｉｃ）により複数のコードブックから１つのコードブックを選択することと、選択されたコードブックの指示（ｉｎｄｉｃａｔｉｏｎ）を送信することと、を含む。複数のコードブックの各々は、複数のアンテナの特徴のうちの１つと関連付けられる。
【００１０】
他の態様においては、無線通信のための装置は、アンテナの特徴により複数のコードブックから１つのコードブックを選択するための手段と、選択されたコードブックの指示を送信するための手段と、を含む。複数のコードブックの各々は、複数のアンテナの特徴のうちの１つと関連付けられる。
【００１１】
さらに他の態様においては、無線通信のための装置は、アンテナの特徴により複数のコードブックから１つのコードブックを選択し及び選択されたコードブックの指示を送信するように構成された少なくとも１つのプロセッサを含む。複数のコードブックの各々は、複数のアンテナの特徴のうちの１つと関連付けられる。装置は、少なくとも１つのプロセッサに結合されたメモリをさらに含む。
【００１２】
さらに他の態様においては、コンピュータによって実行可能な命令を格納するコンピュータによって読み取り可能な媒体を含むコンピュータプログラム製品が開示される。命令は、アンテナの特徴により複数のコードブックから１つのコードブックを選択することを少なくとも１つのプロセッサに行わせるための命令と、選択されたコードブックの指示を送信することを少なくとも１つのプロセッサに行わせるための命令と、を含む。複数のコードブックの各々は、複数のアンテナの特徴のうちの１つと関連付けられる。
【００１３】
さらに他の態様においては、無線通信のための方法は、複数のコードブックのうちの１つのコードブックの指示を受信することと、複数のコードブックのうちの該コードブックを用いてチャネル状態情報フィードバックを決定することと、チャネル状態情報フィードバックを送信することと、を含む。複数のコードブックの各々は、複数のアンテナの特徴のうちの１つと関連付けられる。
【００１４】
さらに他の態様においては、無線通信のための装置は、複数のコードブックのうちの１つのコードブックの指示を受信するための手段と、複数のコードブックのうちの該コードブックを用いてチャネル状態情報フィードバックを決定するための手段と、チャネル状態情報フィードバックを送信するための手段と、を含む。複数のコードブックの各々は、複数のアンテナの特徴のうちの１つと関連付けられる。
【００１５】
さらに他の態様においては、無線通信のための装置は、複数のコードブックのうちの１つのコードブックの指示を受信し、複数のコードブックのうちの該コードブックを用いてチャネル状態情報フィードバックを決定し、及びチャネル状態情報フィードバックを送信するように構成された少なくとも１つのプロセッサを含む。複数のコードブックの各々は、複数のアンテナの特徴のうちの１つと関連付けられる。装置は、少なくとも１つのプロセッサに結合されたメモリをさらに含む。
【００１６】
さらに他の態様においては、コンピュータによって実行可能な命令を格納する非一時的なコンピュータによって読み取り可能な媒体を含むコンピュータプログラム製品が開示される。命令は、複数のコードブックのうちの１つのコードブックの指示を受信することを少なくとも１つのプロセッサに行わせるための命令と、複数のコードブックのうちの該コードブックを用いてチャネル状態情報フィードバックを決定することを少なくとも１つのプロセッサに行わせるための命令と、チャネル状態情報フィードバックを送信することを少なくとも１つのプロセッサに行わせるための命令と、を含む。複数のコードブックの各々は、複数のアンテナの特徴のうちの１つと関連付けられる。
【００１７】
さらに他の態様においては、無線通信のための方法は、ユーザ装置から複数のチャネル位相フィードバック情報要素を受信することを含む。複数のチャネル位相フィードバック情報要素のうちの少なくとも２つは、異なるサブバンド粒度（ｇｒａｎｕｌａｒｉｔｙ）と関連付けられる。
【００１８】
さらに他の態様においては、無線通信のための装置は、ユーザ装置から複数のチャネル位相フィードバック情報要素を受信するための手段を含む。複数のチャネル位相フィードバック情報要素のうちの少なくとも２つは、異なるサブバンド粒度と関連付けられる。
【００１９】
さらに他の態様においては、無線通信のための方法は、複数のコードブックのうちの１つのコードブックを用いて複数のチャネル位相フィードバック情報要素を決定することと、基地局に複数のチャネル位相フィードバック情報要素を送信することと、を含む。複数のチャネル位相フィードバック情報要素のうちの少なくとも２つは、異なるサブバンド粒度と関連付けられる。
【００２０】
さらに他の態様においては、無線通信のための装置は、複数のコードブックのうちの１つのコードブックを用いて複数のチャネル位相フィードバック情報要素を決定するための手段と、基地局に複数のチャネル位相フィードバック情報要素を送信するための手段と、を含む。複数のチャネル位相フィードバック情報要素のうちの少なくとも２つは、異なるサブバンド粒度と関連付けられる。
【００２１】
さらに他の態様においては、無線通信のための方法は、ユーザ装置から複数のフィードバック情報要素を受信することを含む。複数のフィードバック情報要素のうちの少なくとも１つは、プリコーダ列ベクトル（ｐｒｅｃｏｄｅｒ  ｃｏｌｕｍｎ  ｖｅｃｔｏｒ）の部分組の選択を示す。
【００２２】
さらに他の態様においては、無線通信のための装置は、ユーザ装置から複数のフィードバック情報要素を受信するための手段を含む。複数のフィードバック情報要素のうちの少なくとも１つは、プリコーダ列ベクトルの部分組の選択を示す。
【００２３】
さらに他の態様においては、無線通信のための方法は、基地局から複数のコードブックのうちの１つのコードブックの指示を受信することであって、複数のコードブックの各々は、複数のアンテナの特徴のうちの１つと関連付けられることと、複数のコードブックのうちの該コードブックを用いて複数のフィードバック情報要素を決定することであって、複数のフィードバック情報要素のうちの少なくとも１つは、プリコーダ列ベクトルの部分組の選択を示すことと、基地局に複数のフィードバック情報要素を送信することと、を含む。
【００２４】
さらに他の態様においては、無線通信のための装置は、基地局から複数のコードブックのうちの１つのコードブックの指示を受信するための手段であって、複数のコードブックの各々は、複数のアンテナの特徴のうちの１つと関連付けられる手段と、複数のコードブックのうちの該コードブックを用いて複数のフィードバック情報要素を決定するための手段であって、複数のフィードバック情報要素のうちの少なくとも１つは、プリコーダ列ベクトルの部分組の選択を示す手段と、基地局に複数のフィードバック情報要素を送信するための手段と、を含む。
【図面の簡単な説明】
【００２５】
本開示の特徴、性質、及び利点は、同様の参照文字が全体にわたって対応して同様の物を識別する図面を併用することで、下記の詳細な発明を実施するための形態からより明確になるであろう。
【図１】一実施形態による多元接続無線通信システムを例示した図である。
【図２】通信システムのブロック図を例示した図である。
【図３】通信システムの概略図を例示した図である。
【図４Ａ】本開示において開示された幾つかの構成による典型的な送信アンテナ構成を例示した図である。
【図４Ｂ】本開示において開示された幾つかの構成による典型的な送信アンテナ構成を例示した図である。
【図４Ｃ】本開示において開示された幾つかの構成による典型的な送信アンテナ構成を例示した図である。
【図４Ｄ】本開示において開示された幾つかの構成による典型的な送信アンテナ構成を例示した図である。
【図４Ｅ】本開示において開示された幾つかの構成による典型的な送信アンテナ構成を例示した図である。
【図４Ｆ】本開示において開示された幾つかの構成による典型的な送信アンテナ構成を例示した図である。
【図５】無線通信のためのプロセスのフローチャート表現である。
【図６】無線通信装置の一部分のブロック図表現である。
【図７】構造化されたコードブックを実装することを容易にする電気的コンポーネントの典型的な結合を例示した図である。
【図８】無線通信のためのプロセスのフローチャート表現である。
【図９】無線通信装置の一部分のブロック図表現である。
【図１０】構造化されたコードブックを実装することを容易にする電気的コンポーネントの典型的な結合を例示した図である。
【図１１】無線通信のためのプロセスのフローチャート表現である。
【図１２】無線通信装置の一部分のブロック図表現である。
【図１３】無線通信のためのプロセスのフローチャート表現である。
【図１４】無線通信装置の一部分のブロック図表現である。
【図１５】無線通信のためのプロセスのフローチャート表現である。
【図１６】無線通信装置の一部分のブロック図表現である。
【図１７】無線通信のためのプロセスのフローチャート表現である。
【図１８】無線通信装置の一部分のブロック図表現である。
【図１９】無線通信のためのプロセスのフローチャート表現である。
【図２０】無線通信装置の一部分のブロック図表現である。
【発明を実施するための形態】
【００２６】
ここでは、図面を参照して様々な態様が説明される。以下の説明においては、説明する目的上、１つ以上の態様についての徹底的な理解を提供するために数多くの具体的な詳細が示される。しかしながら、それらの様々な態様は、これらの具体的な詳細なしに実践可能であることが明確であろう。その他の事例においては、これらの態様についての説明を容易にするためによく知られた構造及びデバイスはブロック図形で示される。
【００２７】
ここにおいて説明される技法は、様々な無線通信ネットワーク、例えば、ＣＤＭＡネットワーク、ＴＤＭＡネットワーク、ＦＤＭＡネットワーク、ＯＦＤＭＡネットワーク、単一搬送波ＦＤＭＡ（ＳＣ−ＦＤＭＡ）ネットワーク、等に関して用いることができる。用語“ネットワーク”及び“システム”は、互換可能な形でしばしば用いられる。ＣＤＭＡネットワークは、ユニバーサル地上無線アクセス（ＵＴＲＡ）、ｃｄｍａ２０００、等の無線技術を実装することができる。ＵＴＲＡは、広帯域−ＣＤＭＡ（Ｗ−ＣＤＭＡ）とローチップレート（ＬＣＲ）とを含む。ｃｄｍａ２０００は、ＩＳ−２０００規格、ＩＳ−９５規格及びＩＳ−８５６規格を網羅する。ＴＤＭＡネットワークは、グローバル移動体通信システム（ＧＳＭ（登録商標））、等の無線技術を実装することができる。ＯＦＤＭＡネットワークは、エボルブド（Ｅｖｏｌｖｅｄ）ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭ（登録商標）、等の無線技術を実装することができる。ＵＴＲＡ、Ｅ−ＵＴＲＡ、及びＧＳＭは、ユニバーサル移動体通信システム（ＵＭＴＳ）の一部である。ＬＴＥは、Ｅ−ＵＴＲＡを使用するＵＭＴＳのリリース版である。ＵＴＲＡ、Ｅ−ＵＴＲＡ、ＧＳＭ、ＵＭＴＳ及びＬＴＥは、“第３世代パートナーシッププロジェクト”（３ＧＰＰ）という名称の組織からの文書において記述される。ｃｄｍａ２０００は、“第３世代パートナーシッププロジェクト２”（３ＧＰＰ２）という名称の組織からの文書において記述される。明確化を目的として、これらの技法のうちの幾つかの態様は、以下においてはＬＴＥを対象にして説明され、以下の説明の多くではＬＴＥ用語が用いられる。しかしながら、ここにおいて説明される様々な態様は、ほとんどのあらゆる遠距離通信ネットワーク、及び関連付けられた無線技術プロトコルにおいて実装することができる。
【００２８】
ＳＣ−ＦＤＭＡは、単一搬送波変調及び周波数領域等化を利用する。ＳＣ−ＦＤＭＡ信号は、それの固有の単一搬送波構造に起因してより低いピーク対平均電力比（ＰＡＰＲ）を有する。ＳＣ−ＦＤＭＡは、特に、より低いＰＡＰＲが送信電力効率の点で移動端末にとって非常に有益であるアップリンク通信において、大きな注目を集めている。それは、現在は、ＬＴＥ、又はＥｖｏｌｖｅｄ  ＵＴＲＡにおけるアップリンク多元接続方式のために用いられている。さらに、低ＰＡＰＲを有するその他の波形も存在することができ、例えば、クラスタ化されたＳＣ−ＦＤＭＡ信号、幾つかのコードチャネル構成を有するＣＤＭＡ信号、幾つかのＰＡＰＲ低減技法を適用後のＯＦＤＭＡ信号、又は概してあらゆる低ＰＡＰＲ信号である。例示することを目的として、ここにおいて説明されるシステム及び方法は、ＳＣ−ＦＤＭＡ信号を参照する。しかしながら、それらのシステム及び方法は、その他のあらゆる低ＰＡＰＲ信号に対しても等しく適用される。
【００２９】
ＬＴＥ  Ｒｅｌｅａｓｅ１０におけるＤＬに関して検討された拡張のうちの１つは、単一ユーザＭＩＭＯ（ＳＵ−ＭＩＭＯ）及び多ユーザＭＩＭＯ（ＭＵ−ＭＩＭＯ）のための８本の送信アンテナ及び８本の受信アンテナ（８×８）に関するサポートであった。本開示において開示された構造化されたコードブック方式は、Ｒｅｌｅａｓｅ１０仕様、又はあらゆる後続仕様又は同様のシステムにおいて用いることができる。幾つかの構成では、構造化されたコードブックは、次の性質、すなわち、（１）８−ＰＳＫアルファベットの使用及びサポート、（２）定係数を有するコードブックエントリ、及び（３）入れ子型構造、を呈することができる。幾つかの構成では、記載された性質のうちの１つ以上（ただし全部ではない）を開示されたコードブックによって満たすことができる。幾つかの状況では、そうすることによってシステム性能を向上させることになる実証可能な利益が存在する場合は、それらの性質のうちの１つ以上を緩和することができる。
【００３０】
８本の送信アンテナを備える通信システムでは、ＤＬ送信のための幾つかの送信アンテナ構成が可能であり、例えば、８本の均一線形配列（ｕｎｉｆｏｒｍ  ｌｉｎｅａｒ  ａｒｒａｙ）（ＵＬＡ）アンテナ、４本のＵＬＡアンテナ、８本の交差偏波（ｃｒｏｓｓ−ｐｏｌａｒｉｚｅｄ）(ｘ−ｐｏｌ)アンテナ、等である。幾つかの態様では、本開示において開示された構造化されたコードブック表現は、コードブックのパラメータによる記述を提供し、それは、送信アンテナの構成に対応する。送信機（例えば、基地局）は、パラメータの値を単に調整又は選択することによって様々な送信アンテナ構成のための送信を最適化することができる。さらに、基地局は、ＵＥによるアップリンク方向へのシグナリングのために構造化されたコードブックの異なるパラメータに対して異なる数の副搬送波、又はリソースブロック（ＲＢ）を割り当てることができる。基地局は、ダウンリンクメッセージ内でＵＥへの副搬送波割り当てを示すことができる。
【００３１】
図１は、典型的な無線通信システム１００を示し、それは、ＬＴＥシステム又は何らかのその他のシステムであることができる。典型的なシステム１００は、例えばここにおいて説明される態様により、構造化されたコードブックを利用することができる。システム１００は、幾つかのｅｖｏｌｖｅｄ  Ｎｏｄｅ  Ｂ（ｅＮＢ）１１０と、その他のネットワークエンティティとを含むことができる。ｅＮＢは、ＵＥと通信するエンティティであることができ、基地局、ノードＢ、アクセスポイント、等と呼ばれることもある。各ｅＮＢ１１０は、特定の地理上のエリアのための通信カバレッジを提供することができ、及び、カバレッジエリア内に位置するＵＥのための通信をサポートすることができる。容量を向上させるために、ｅＮＢのカバレッジエリア全体を複数（例えば、３つ）のより小さいエリアに区分することができる。各々のより小さいエリアは、各々のｅＮＢサブシステムによってサービスを提供することができる。３ＧＰＰにおいては、用語“セル”は、ｅＮＢ１１０及び／又はこのカバレッジエリアにサービスを提供するｅＮＢサブシステムの最小のカバレッジエリアを意味することができる。
【００３２】
ＵＥ１２０は、システム全体にわたって分散することができ、各ＵＥ１２０は、静止型又は移動型であることができる。ＵＥは、移動局、モバイルデバイス、端末、アクセス端末、加入者ユニット、等と呼ばれることもある。ＵＥ１２０は、携帯電話、パーソナルデジタルアシスタント（ＰＤＡ）、無線モデム、無線通信デバイス、ハンドヘルドデバイス、ラップトップコンピュータ、コードレスフォン、ワイヤレスローカルループ（ＷＬＬ）局、スマートフォン、ネットブック、スマートブック、タブレット、等であることができる。
【００３３】
ＬＴＥは、ダウンリンクではＯＦＤＭ、アップリンクではＳＣ−ＦＤＭを利用する。ＯＦＤＭ及びＳＣ−ＦＤＭは、周波数帯域を複数（Ｋｓ）の直交副搬送波に分割し、それらは、トーン、ビン、等と共通して呼ばれる。各副搬送波は、データとともに変調することができる。概して、変調シンボルは、ＯＦＤＭでは周波数領域、ＳＣ−ＦＤＭでは時間領域で送信される。隣接する副搬送波間のスペースは固定することができ、副搬送波の総数（Ｋｓ）は、システム帯域幅に依存することができる。例えば、Ｋｓは、１．４、３、５、１０又は２０ＭＨｚのシステム帯域幅の場合はそれぞれ１２８、２５６、５１２、１０２４又は２０４８に等しいことができる。システム帯域幅は、Ｋｓの総副搬送波の部分組に対応することができる。
【００３４】
図２は、典型的な基地局１１０及びＵＥ１２０のブロック図を示し、それらは、図１のｅＮＢのうちの１つ及びＵＥのうちの１つであることができる。ＵＥ１２０は、Ｔ本のアンテナ２３４ａ乃至２３４ｔを装備することができ、基地局１１０は、Ｒ本のアンテナ２５２ａ乃至２５２ｒを装備することができ、ここで、概して、Ｔ≧１及びＲ≧１である。
【００３５】
ＵＥ１２０において、送信プロセッサ２２０は、データソース２１２からデータ、コントローラ／プロセッサ２４０から制御情報を受信することができる。送信プロセッサ２２０は、データ及び制御情報を処理（例えば、符号化、インターリービング、及びシンボルマッピング）することができ及びデータシンボル及び制御シンボルをそれぞれ提供することができる。送信プロセッサ２２０は、ＵＥ１２０に割り当てられた１つ以上のＲＳシーケンスに基づいて複数の非連続のクラスタのための１つ以上の復調基準信号を生成することもでき及び基準シンボルを提供することができる。送信（ＴＸ）ＭＩＭＯプロセッサ２３０は、該当する場合に、送信プロセッサ２２０からのデータシンボル、制御シンボル、及び／又は基準シンボルに対して空間処理（例えば、プリコーディング）を行うことができ、及び、Ｔの出力シンボルストリームをＴの変調器（ＭＯＤ）２３２ａ乃至２３２ｔに提供することができる。各変調器２３２は、（例えば、ＳＣ−ＦＤＭＡ、ＯＦＤＭ、等に関して）各々の出力シンボルストリームを処理して出力サンプルストリームを得ることができる。各変調器２３２は、出力サンプルストリームをさらに処理（例えば、アナログ変換、増幅、フィルタリング、及びアップコンバージョン）してアップリンク信号を得ることができる。Ｔ本のアンテナ２３４ａ乃至２３４ｔを介して変調器２３２ａ乃至２３２ｔからのＴのアップリンク信号をそれぞれ送信することができる。
【００３６】
基地局１１０において、アンテナ２５２ａ乃至２５２ｒは、ＵＥ１２０からアップリンク信号を受信し、受信された信号を復調器（ＤＥＭＯＤ）２５４ａ乃至２５２ｒにそれぞれ提供することができる。各復調器２５４は、各々の受信された信号をコンディショニング（例えば、フィルタリング、増幅、ダウンコンバージョン、及びデジタル化）して受信されたサンプルを得る。各復調器２５４は、受信されたサンプルをさらに処理して受信されたシンボルを得ることができる。チャネルプロセッサ／ＭＩＭＯ検出器２５６は、すべてのＲの復調器２５４ａ乃至２５４ｒから受信されたシンボルを得ることができる。チャネルプロセッサ２５６は、ＵＥ１２０から受信された復調基準信号に基づいてＵＥ１２０から基地局１１０への無線チャネルに関するチャネル推定値を導き出すことができる。ＭＩＭＯ検出器２５６は、チャネル推定値に基づいて受信されたシンボルに対してＭＩＭＯ検出／復調を行うことができ及び検出されたシンボルを提供することができる。受信プロセッサ２５８は、検出されたシンボルを処理（例えば、シンボルデマッピング、デインターリービング、及び復号）し、復号されたデータをデータシンク２６０に提供し、復号された制御情報をコントローラ／プロセッサ２８０に提供することができる。
【００３７】
ダウンリンクにおいて、基地局１１０では、データソース２６２からのデータ及びコントローラ／プロセッサ２８０からの制御情報を送信プロセッサ２６４によって処理し、該当する場合はＴＸ  ＭＩＭＯプロセッサ２６６によってプリコーディングし、変調器２５４ａ乃至２５４ｒによってコンディショニングし、ＵＥ１２０に送信することができる。ＵＥ１２０では、基地局１１０からのダウンリンク信号をアンテナ２３４によって受信し、復調器２３２によってコンディショニングし、チャネル推定器／ＭＩＭＯ検出器２３６によって処理し、受信プロセッサ２３８によってさらに処理してＵＥ１２０に送信されたデータ及び制御情報を得ることができる。プロセッサ２３８は、復号されたデータをデータシンク２３９に及び復号された制御情報をコントローラ／プロセッサ２４０に提供することができる。
【００３８】
コントローラ／プロセッサ２４０及び２８０は、ＵＥ１２０及び基地局１１０における動作をそれぞれ指示することができる。ＵＥ１２０におけるプロセッサ２２０、プロセッサ２４０、及び／又はその他のプロセッサ及びモジュールは、図８のプロセス８００、図１３のプロセス１３００、図１７のプロセス１７００、及び／又はここにおいて説明される技法のためのその他のプロセスを実施又は指示することができる。基地局１１０におけるプロセッサ２５６、プロセッサ２８０、及び／又はその他のプロセッサ及びモジュールは、図５のプロセス５００、図１１のプロセス１１００、図１５のプロセス１５００、図１９のプロセス１９００、及び／又はここにおいて説明される技法のためのその他のプロセスを実施又は指示することができる。メモリ２４２及び２８２は、ＵＥ１２０及び基地局１１０のためにデータ及びプログラムコードをそれぞれ格納することができる。スケジューラ２８４は、ダウンリンク及び／又はアップリンク送信のためにＵＥをスケジューリングすることができ及びスケジューリングされたＵＥのためのリソースの割り当て（例えば、複数の非連続クラスタ、復調基準信号のためのＲＳシーケンス、等の割り当て）を提供することができる。
【００３９】
デジタル通信の進歩は、ＵＥ１２０における複数の送信アンテナの使用に結びついている。例えば、ＬＴＥ  Ｒｅｌｅａｓｅ  １０では、ＳＵ−ＭＩＭＯモードが定義され、ＵＥ１２０は、２つまでの転送ブロック（ＴＢ）を基地局１１０に送信することができる。ＴＢは、コードワード（ＣＷ）とも呼ばれるが、時には、ＴＢからＣＷへのマッピングは、置換、例えば、一対のＣＷにマッピングされた２つのＴＢのスワッピング、に従うことができる。
【００４０】
図３は、例えば、主題の開示の様々な態様により、構造化されたコードブックを実装することができる典型的なシステム３００のブロック図を示す。システム３００では、典型的な基地局１１０及び典型的なＵＥ１２０は、例えば、ここにおいて説明される態様により、図１及び２内、又は構造化されたコードブックを実装するその他のＭＩＭＯシステム内のｅＮＢのうちの１つ及びＵＥのうちの１つであることができる。
【００４１】
ＵＥ１２０は、フィードバック決定コンポーネント３０４と、１つ以上のプロセッサ３０８と、無線コンポーネント３１２と、メモリ３２４と、を含むことができる。フィードバック決定コンポーネント３０４は、ここにおいて説明される態様により基地局１１０によって示されたコードブックを用いてフィードバック情報要素を決定することができる。基地局１１０は、無線コンポーネント３４０と、構成コンポーネント３４８と、プロセッサ３５０と、メモリ３５２と、を含むことができる。ＵＥ１２０は、無線コンポーネント３１２を介して無線アップリンク及びダウンリンクを通じて基地局１１０と通信する（例えば、データ及びシグナリングをやり取りする）ことができる。
【００４２】
一態様においては、ＵＥ１２０は、プロセッサ３０８によって実行されたときに、主題の開示において説明される態様により基地局１１０からコードブックの指示を受信することに関係する機能を実装し、示されたコードブックを用いてフィードバック情報を決定し、基地局１１０にフィードバック情報を送信するコード命令を保持するコンピュータによって読み取り可能な記憶媒体、例えば非一時的なコンピュータによって読み取り可能な媒体、であることができるメモリ３２４を含む。１つ以上の実施形態において、フィードバック決定コンポーネント３０４及び無線コンポーネント３１２の少なくとも一部分は、コード命令の１つ以上の組としてメモリ３２４内に常駐することができることが評価されるべきであり、該１つ以上の実施形態において、フィードバック決定コンポーネント３０４又は無線コンポーネント３１２の少なくとも一部分の機能は、プロセッサ３０８がコード命令の１つ以上の組を実行するときに実装することができる。追加の又は代替の実施形態において、プロセッサ３０８は、フィードバック決定コンポーネント３０４、又はその中のコンポーネント、又は無線コンポーネント３１２、又はその中のコンポーネントの一部として分散させることができる。ＵＥ１２０の一部である様々なコンポーネントは、幾つかの通信プロトコル及び関連アーキテクチャ、例えばバスアーキテクチャ、を介してデータをやり取りすることができることが評価されるべきである。
【００４３】
他の態様においては、基地局１１０は、プロセッサ３５０によって実行されたときに、ここにおいて開示された構造化されたコードブックと関係する機能を実装するコード命令を保持するコンピュータによって読み取り可能な記憶媒体、例えば非一時的なコンピュータによって読み取り可能な媒体、であることができるメモリ３５２を含む。１つ以上の実施形態において、構成コンポーネント３４８及び無線コンポーネント３４０の少なくとも一部分は、コード命令の１つ以上の組としてメモリ３５２内に常駐することができることが評価されるべきであり、該１つ以上の実施形態において、構成コンポーネント３４８又は無線コンポーネント３４０の少なくとも一部分の機能は、プロセッサ３５０がコード命令の１つ以上の組を実行するときに実装される。追加の又は代替の実施形態において、プロセッサ３５０は、構成コンポーネント３４８、又はその中のコンポーネント、又は無線コンポーネント３４０、又はその中のコンポーネントの一部として分散させることができる。基地局１１０の一部である様々なコンポーネントは、幾つかの通信プロトコル及び関連アーキテクチャ、例えばバスアーキテクチャ、を介してデータをやり取りすることができることが評価されるべきである。
【００４４】
図４Ａ乃至Ｆは、本開示において開示された構成による、様々な送信アンテナ構成の図形表現である。
【００４５】
図４Ａは、すべての８本のアンテナが位相整合されて近づけて配置される送信アンテナ構成４００を表現することができる。
【００４６】
図４Ｂは、互いに離れて配置された２つのアンテナグループを備える送信アンテナ構成４０２を表現することができ、グループ内の全アンテナ（例えば、すべての４本のアンテナ）が近づけて配置され、互いに整合されている。
【００４７】
図４Ｃは、２つのアンテナグループを備える送信アンテナ構成４０４を表現することができ、第１のグループは、４本の近づけて配置され及び整合されたアンテナから成り、４本の近づけて配置され及び整合されたアンテナから成る第２のグループに関して交差偏波を有する。
【００４８】
図４Ｄは、送信アンテナ構成４０６を表現することができ、アンテナは4対の整合されたアンテナとして配列され、2本の近づけて配置されたアンテナが1つの対を形成する。
【００４９】
図４Ｅは、送信アンテナ構成４０８を表現することができ、アンテナが４対のアンテナとして配列され、各対は２本の近づけて配置され及び交差偏波されたアンテナを有し、４対の各々は、互いに離れて配置されている。
【００５０】
図４Ｆは、送信アンテナ構成４１０を表現することができ、アンテナが4つのアンテナ対として配列され、互いに離れて配置され、各対内のアンテナは、近づけて配置され、互いに関して交差偏波されている。
【００５１】
１つ以上の送信アンテナの特徴、例えば図４Ａ乃至Ｆに例示された異なるアンテナ構成、に基づいて異なるコードブックを選択するのが望ましいであろう。該コードブックは次の性質、すなわち、（１）８−ＰＳＫアルファベット、（２）定係数、及び（３）入れ子型構造、を有するのが望ましいであろう。しかしながら、これらの性質のうちの１つ以上は、より良いシステム性能を結果的に得ることができる実証可能な利益が存在する場合は緩和することができる。概して、プリコーダは、ユニタリ行列であることができ、コードブックは、ユニタリ変換の組であることができる。ユニタリの性質を保持する変換演算例は下記を含むことができる。
【００５２】
Ｏ１．列を置換する
Ｏ２．単位ノルム複素スカラーを列に乗じる
Ｏ３．行を置換する
Ｏ４．単位ノルム複素スカラーを行に乗じる
Ｏ５．ユニタリ行列で左又は右乗算する
しかしながら、演算（Ｏ５）は、定係数という性質を厳格に保持することができず、従って、幾つかの場合はコードブックを設計するためには望ましくないことがある。概して、上記の演算（Ｏ２）は、行列がプリコーダとしてとして用いられるときに透明であることができる。演算（Ｏ１）は、プリコーダがフルランク（ｆｕｌｌ  ｒａｎｋ）でないときに影響を有することがあり、その他の変換は、プリコーダの係数値を概して変化させることがある。
【００５３】
幾つかの構成においては、上記の演算（Ｏ４）及び（Ｏ１）は、コードブック設計の一部として用いることができる。換言すると、基底ユニタリ行列から始まって、最初に行にスカラーを乗じることによって、そしてフルランクでない場合は列を置換することによって構造化されたコードブックのプリコーダを入手することができる。
【００５４】
復調基準信号（ＤＭ−ＲＳ）を用いることで、入れ小型構造の性質は同じように重要ではないかもしれないが、異なるランクを報告するＵＥのためにより良いＭＵ−ＭＩＭＯ多重化を可能にする上で依然として有用であることができる。
【００５５】
幾つかのコードブック（例えば、Ｒｅｌ−８）で用いられるハウスホールダ（Ｈｏｕｓｅｈｏｌｄｅｒ）変換は、定係数という性質に違反することなしに８本のアンテナに拡張することができない。本開示による一定の構成においては、（行列がプリコーダとみなされるときには完全に透明である）定数を列に乗じることによってハウスホールダプリコーダを変換することによって、あるコードブック設計原理を８本アンテナに拡張可能である。
【００５６】
４×４のＲｅｌ−８コードブックは、ハウスホールダ変換を用いることによって導き出され、下記を適用することによって入力４×１列ベクトルｕｎから直交行列を生成する。
【数１】
2014222916.tif 000003
【００５７】
Ｗｎをプリコーダとみなした場合、単位ノルム定数スカラーを列に乗じることができる。Ｗｎは、ｕｎの要素を各列に乗じることによって
【数２】
2014222916.tif 000004
【００５８】
に変換することができる。
【数３】
2014222916.tif 000005
【００５９】
ここで、
【数４】
2014222916.tif 000006
【００６０】
その結果は次のように表すことができる。
【数５】
2014222916.tif 000007
【００６１】
ここで、
【数６】
2014222916.tif 000008
【００６２】
従って、Ｒｅｌ−８においては、４×１列ベクトルｕｎをとり、同じ直交行列Ｑ４×４をそれに右乗算することによってすべての４×４プリコーダを導き出すことができる。Ｑ４×４自体は、上記の演算（Ｏ１）、（Ｏ２）及び（Ｏ４）を用いた４×４アダマール行列の変換であることに注目すること。さらに、Ｒｅｌ−８コードブックに関しては、幾つかのランク２、３プリコーダに関して列置換が定義された。Ｒｅｌ−８では、これは、それらの事例に関する特定の列選択として指定されている。
【００６３】
本開示において開示された幾つかの構成においては、８×８コードブックを構築する際に同様の設計原理を拡張することができる。明確化を目的として、構造化されたコードブックの構築は、ランク１プリコーダに関して説明される。フルランクプリコーダは、ランク１プリコーダに直交行列を単に右乗算することによって導き出すことができることが理解される。
【００６４】
本開示において開示された幾つかの構成により、コードブックは次のように構築することができる。
【００６５】
ｕｎランク１プリコーダの組を定義し、ここで、各ｕｎは、８×１列ベクトルである。各ベクトルｕｎは、二重のコードブック構造を有することができる。コードブック内の各プリコーダＷｎは、次のようにして導き出すことができる。
【数７】
2014222916.tif 000009
【００６６】
ここで、Ｑ８×８は、ビット反転列置換後の８×８アダマール行列である。
【数８】
2014222916.tif 000010
【００６７】
さらに、幾つかのアンテナ構成に関して、及び幾つかのランク事例に関しては、Ｒｅｌ−８コードブックにおいて行われる置換と同様に、プリコーダの列置換を検討することができる。
【００６８】
基地局（又はｅＮＢ）では幾つかの送信アンテナ構成、例えば図４Ａ乃至Ｆにおいて説明されるアンテナ構成、を用いることができる。ここにおいて開示される構造化されたコードブックは、コードブックをパラメータ化し及び送信アンテナ構成に基づくコードブックの選択を可能にすることによって適合性を可能にする。
【００６９】
幾つかの構成においては、各プリコーダは、ｕｎ基底ベクトルから導き出される。ＵＥフィードバックは、ｕｎ基底ベクトルのうちの１つ、そして可能な場合は列置換を指し示すことができる。後者は、ランク２フィードバックを最適化することが主な目標であることができる。
【００７０】
ベクトルｕｎは、ｕｎの要素が個別のフィードバック成分に基づいて計算される公式として表すことができる。しかしながら、組｛ｕｎ｝は、一組の選択されたベクトルの単純な列挙であるとみることができる。
【００７１】
幾つかの構成においては、組
【数９】
2014222916.tif 000011
【００７２】
は、以下のように表すことができる。
【数１０】
2014222916.tif 000012
【００７３】
すなわち、幾つかの個別パラメータの関数として以下のようになる。
【数１１】
2014222916.tif 000013
【００７４】
コードブックを導き出す際にはすべてのパラメータを用いる必要があるわけではないことに注目すること。例えば、式（９）では用いられないパラメータはゼロに設定することができる。
【００７５】
パラメータ（ａ０，ｂ０，ｃ０，ｃ１，ｄ１，ｄ２，ｄ３）を送信アンテナ構成と関連させることができる。例えば、ａ０は、ランク１プリコーダに対応することができ、送信アンテナ構成における全アンテナが近づけて配置されて同相である事例を表すことができる。パラメータａ０のフィードバックに関して、送信アンテナ構成が同相の近づけて配置されたアンテナに対応するときには周波数可変性が低下するためより多い数のサブバンドＲＢを割り当てることができる。
【００７６】
他の例として、パラメータｄ１、ｄ２、ｄ３の相関関係を例えばｂ０よりも高くすることができ、従って、ｄ１、ｄ２、ｄ３は、ｂ０よりも低いサブバンド粒度（ｓｕｂｂａｎｄ  ｇｒａｎｕｌａｒｉｔｙ）を有することができる。換言すると、ｂ０のためのそれと比較して、より多い数のサブバンドリソースブロックをＵＥによるフィードバックに関してｄ１、ｄ２、ｄ３に割り当てることができる。
【００７７】
幾つかの構成においては、下表１に記載された４つの基本構成からシグナリングが選択される。
【表１】
2014222916.tif 000014
【００７８】
構成選択のためのシグナリングは、個々のセルごとであることができるが、フィードバック構成においてより高い柔軟性が希望される場合は、個々のＵＥごとのシグナリングを検討することが可能である。上表１において、表１内の４つの行に対応する４つの送信アンテナ構成例が示される。前述されるように、図４Ａの送信アンテナ構成４００のための広帯域パラメータ組は、ａ０を備える。図４Ｂ及び４Ｃのそれぞれの送信アンテナ構成４０２及び４０４に関して、例えばアンテナが異なる位相を有する状態でグループ分類されるか又は２つのグループにおいて離れて配置される追加の特徴に対応して、追加のパラメータｂ０を加えることができる。同様に、図４Ｄ、４Ｅ、及び４Ｆのそれぞれの構成４０６、４０８及び４１０において描かれた追加の送信アンテナ構成詳細を表すための追加のパラメータｃ０、ｃ１、ｄ１、ｄ２、及びｄ３。
【００７９】
幾つかの構成においては、パラメータの組、各パラメータのために用いられるビット分解能（ｒｅｓｏｌｕｔｉｏｎ）、及び、ＵＥから基地局／ｅＮＢへの各パラメータのフィードバックのために割り当てられた副搬送波リソースブロックは、サポートされた送信アンテナ構成数に基づいて決定することができる。２つの説明例が以下の表２及び３に示される。
【表２】
2014222916.tif 000015
【００８０】
上表２は、図４Ａにおいて描かれたアンテナ構成４００に関するものであり、下表３は、図４Ｆにおいて描かれたアンテナ構成４１０に関するものである。第２の列は、コードブックの特徴を示す及び／又は構築するために用いられるフィードバックパラメータを示すことができる。第３の列は、各パラメータに割り当てることができる値を示すことができる。第４の列は、ＵＥから基地局へのフィードバックメッセージでパラメータの値をシグナリングするために要求されたビット数を記載することができる。最後の列は、所定のパラメータが一定であると仮定されるサブバンド数又はリソースブロック（ＲＢ）数を記載することができる。例えば、パラメータａ０は、近づけて配置されたアンテナの整合された組を表すことができ、従って、周波数帯域にわたって変動することができない。従って、ａ０は、５０ＲＢのサブバンドサイズ（例えば、１０ＭＨｚ帯域幅全体）にわたって不変であると仮定される。幾つかの構成においては、パラメータに割り当てられたサブバンドのサイズは、Ｒｅｌ−８ＲＢ割り当てと一致させるために、６つのＲＢの倍数であることができる。
【００８１】
依然として表２及び３を参照し、パラメータｂ０は、（例えば、図４Ｃにおいて描かれるように）交差偏波と関連付けることができる。従って、起こり得るスペクトル変動を軽減するために、ｂ０に関するフィードバックチャネルにはより少ない数のＲＢ（例えば、６）を割り当てることができる。同様に、（交差偏波及びアンテナのより離れた配置に起因するより大きい周波数変動を呈する）ｃ０、ｃ１及び（アンテナのより近い配置に起因してｃ０、ｃ１よりも小さい周波数変動を呈する）ｄ１、ｄ２、及びｄ３に対して異なる数のＲＢを割り当てることができる。幾つかの構成においては、より少ない数のＲＢがパラメータに割り当てられるときには、ＤＬチャネルの帯域幅全体を網羅するために、ＵＥから基地局へのフィードバックチャネルにおいてより多い数のパラメータ更新をシグナリングしなければならないことがある。
【表３】
2014222916.tif 000016
【００８２】
その他の構成も可能である。例えば、フィードバックチャネルでのより高いフィードバック粒度は、ＵＬフィードバックオーバーヘッドを犠牲にしてより良いＤＬスペクトル効率を与えることができる。表２及び３を参照し、一例として、１０ＭＨｚダウンリンク帯域幅を有する無線システムにおいては、５０ＲＢのサブバンドサイズがＤＬ帯域幅全体に対応することができる。従って、エントリａ０は、帯域幅全体に関して１回だけフィードバックチャネルで送信しなければならない。他方、ｂ０には６つのサブバンドＲＢが割り当てられ、１０ＭＨｚチャネルの５０ＲＢ帯域幅全体にまたがるためにｂ０の９個の異なる値を送信することをＵＥに要求する。
【００８３】
図５は、無線通信方法５００のフローチャート表現である。ボックス５０２において、アンテナの特徴、例えば送信アンテナ構成、により幾つかのコードブックから１つのコードブックが選択される。それらのコードブックの各々は、幾つかのアンテナの特徴のうちの１つ、例えば図４Ａ乃至Ｆにおいて例示された送信アンテナ構成、と関連付けることができる。
【００８４】
ボックス５０４において、選択されたコードブックの指示が例えばＵＥ１２０に送信される。一例においては、選択されたコードブックの指示は、コードブック自体よりも少ない情報を含むことができる。例えば、全コードブックをＵＥ１２０が知っていることができ、例えばＵＥ１２０においてローカルに格納され、基地局１１０は、選択されたコードブック全体ではなく、選択されたコードブックの指示をシグナリングするだけでよい。方法５００は、ＵＥ１２０からチャネル状態情報フィードバックを受信することと、チャネル状態情報フィードバックに基づいてダウンリンクスケジューリング及び／又はプリコーディングを決定することと、をさらに含むことができる。チャネル状態情報フィードバックは、フィードバック情報要素、例えば上述されて表１乃至３に示される広帯域及び／又はサブバンドフィードバックパラメータ、を含むことができる。一例においては、上記のように、フィードバック情報要素のうちの少なくとも２つを異なるサブバンド粒度と関連付けることができる。例えば、上記のように、フィードバック情報要素のうちの少なくとも２つ、例えば広帯域及び／又はサブバンドフィードバックパラメータ、に対して異なる数のリソースブロック（ＲＢ）を割り当てることができる。代替として、又はさらに加えて、フィードバック情報要素のうちの少なくとも１つは、プリコーダ列ベクトルの部分組の選択を示すことができる。例えば、フィードバック情報要素のうちの少なくとも１つは、列置換組、例えば、表１に示される列置換組のうちの１つ、を含むことができる。基地局１１０は、示されたプリコーダ列ベクトルの部分組を用いて信号をプリコーディングするための１つ以上のプリコーダを決定することができる。代替として、又はさらに加えて、フィードバック情報要素のうちの少なくとも１つは、送信アンテナの２つのグループ間の位相オフセットを示すチャネル位相フィードバック情報要素を含むことができ、例えば、上記のフィードバックパラメータｂ０である。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。代替として又はさらに加えて、チャネル位相フィードバック情報要素は、チャネル位相に関連するその他の情報を含むことができる。
【００８５】
図６は、無線通信装置６００の一部分のブロック図表現である。アンテナの特徴、例えば送信アンテナ構成、により幾つかのコードブックから１つのコードブックを選択するためにモジュール６０２が提供される。それらのコードブックの各々は、幾つかのアンテナの特徴のうちの１つ、例えば図４Ａ乃至Ｆにおいて例示された送信アンテナ構成、と関連付けることができる。例えばＵＥ１２０に選択されたコードブックの指示を送信するためにモジュール６０４が提供される。一例においては、選択されたコードブックの指示は、コードブック自体よりも少ない情報を含むことができる。
【００８６】
図７は、一実施形態により、構造化されたコードブックを実装することを容易にするシステム７００のブロック図である。システム７００は、プロセッサ、ソフトウェア、又はそれらの組み合わせ（例えば、ファームウェア）によって実装される機能を表すことができる機能ブロックを含み、システム７００は、共同で動作することができる電気的コンポーネントの論理グループ７０２を含む。例示されるように、論理グループ７０２は、アンテナの特徴、例えば送信アンテナ構成、により幾つかのコードブックから１つのコードブックを選択するための電気的コンポーネント７１０と、例えばＵＥ１２０に選択されたコードブックの指示を送信するための電気的コンポーネント７１２と、を含むことができる。例えば、それらのコードブックの各々は、幾つかのアンテナの特徴のうちの１つ、例えば図４Ａ乃至Ｆにおいて例示された送信アンテナ構成、と関連付けることができ、コードブックの指示は、コードブック自体よりも少ない情報を含むことができる。他の態様においては、チャネル状態情報フィードバックをＵＥ１２０から受信することができ、チャネル状態情報フィードバックに基づいてダウンリンクスケジューリング及び／又はプリコーディングを決定することができる。チャネル状態情報フィードバックは、フィードバック情報要素を含むことができる。一例においては、上記のように、フィードバック情報要素のうちの少なくとも２つを異なるサブバンド粒度と関連付けることができる。代替として、又はさらに加えて、フィードバック情報要素のうちの少なくとも１つは、プリコーダ列ベクトルの部分組の選択を示すことができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。さらに加えて、システム７００は、電気的コンポーネント７１０及び７１２と関連付けられた機能を実行するための命令を保持するメモリ７２０、例えば非一時的なコンピュータによって読み取り可能な媒体、を含むことができ、電気的コンポーネント７１０及び７１２のいずれも、メモリ７２０の内部又は外部に存在することができる。
【００８７】
図８は、無線通信方法８００のフローチャート表現である。ボックス８０２において、幾つかのコードブックのうちの１つの指示が例えば基地局から受信される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。
【００８８】
ボックス８０４において、示されたコードブックを用いてチャネル状態情報フィードバックを決定することができる。チャネル状態情報フィードバックは、幾つかのフィードバック情報要素、例えば上述されて表１乃至３に示される広帯域及び／又はサブバンドフィードバックパラメータ、を含むことができる。一例においては、上記のように、フィードバック情報要素のうちの少なくとも２つを異なるサブバンド粒度と関連付けることができる。例えば、上記のように、フィードバック情報要素のうちの少なくとも２つ、例えば広帯域及び／又はサブバンドフィードバックパラメータ、に対して異なる数のリソースブロック（ＲＢ）を割り当てることができる。代替として、又はさらに加えて、フィードバック情報要素のうちの少なくとも１つは、プリコーダ列ベクトルの部分組の選択を示すことができる。例えば、フィードバック情報要素のうちの少なくとも１つは、列置換組、例えば、表１に示される列置換組のうちの１つ、を含むことができる。代替として、又はさらに加えて、フィードバック情報要素のうちの少なくとも１つは、送信アンテナの２つのグループ間の位相オフセットを示すことができ、例えば、上記のフィードバックパラメータｂ０である。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。
【００８９】
ボックス８０６において、チャネル状態情報フィードバックは、例えば基地局１１０に送信することができる。送信されたチャネル状態情報フィードバックは、フィードバック情報要素を含むことができる。
【００９０】
図９は、無線通信装置９００の一部分のブロック図表現である。幾つかのコードブックのうちの１つの指示を受信するためにモジュール９０２が提供される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。チャネル状態情報フィードバックは、幾つかのフィードバック情報要素を含むことができる。示されたコードブックを用いてチャネル状態情報フィードバックを決定するためにモジュール９０４が提供される。例えば基地局１１０にチャネル状態情報フィードバックを送信するためにモジュール９０６が提供される。送信されたチャネル状態情報フィードバックは、フィードバック情報要素を含むことができる。
【００９１】
図１０は、一実施形態により、構造化されたコードブックを実装することを容易にするシステム１０００のブロック図である。システム１０００は、プロセッサ、ソフトウェア、又はそれらの組み合わせ（例えば、ファームウェア）によって実装される機能を表すことができる機能ブロックを含み、システム１０００は、共同で動作することができる電気的コンポーネントの論理グループ１００２を含む。例示されるように、論理グループ１００２は、幾つかのコードブックのうちの１つの指示を受信するための電気的コンポーネント１０１０と、示されたコードブックを用いてチャネル状態情報フィードバックを決定するための電気的コンポーネント１０１２と、チャネル状態情報フィードバックを送信するための電気的コンポーネントと、を含むことができる。例えば、それらのコードブックの各々は、幾つかのアンテナの特徴のうちの１つ、例えば図４Ａ乃至Ｆにおいて例示された送信アンテナ構成、と関連付けることができ、コードブックの指示は、コードブック自体よりも少ない情報を含むことができる。他の態様においては、チャネル状態情報フィードバックを基地局１１０に送信することができる。チャネル状態情報フィードバックは、フィードバック情報要素を含むことができる。一例においては、上記のように、フィードバック情報要素のうちの少なくとも２つを異なるサブバンド粒度と関連付けることができる。代替として、又はさらに加えて、フィードバック情報要素のうちの少なくとも１つは、プリコーダ列ベクトルの部分組の選択を示すことができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。さらに加えて、システム１０００は、電気的コンポーネント１０１０、１０１２、及び１０１４と関連付けられた機能を実行するための命令を保持するメモリ１０２０、例えば非一時的なコンピュータによって読み取り可能な媒体、を含むことができ、電気的コンポーネント１０１０、１０１２、及び１０１４のいずれも、メモリ１０２０の内部又は外部に存在することができる。
【００９２】
図１１は、無線通信方法１１００のフローチャート表現である。ボックス１１０２において、アンテナの特徴、例えば送信アンテナ構成、により幾つかのコードブックから１つのコードブックが選択される。それらのコードブックの各々は、幾つかのアンテナの特徴のうちの１つ、例えば図４Ａ乃至Ｆにおいて例示された送信アンテナ構成、と関連付けることができる。
【００９３】
ボックス１１０４において、選択されたコードブックの指示がＵＥ１２０に送信される。一例においては、選択されたコードブックの指示は、コードブック自体よりも少ない情報を含むことができる。ボックス１１０６において、フィードバック情報要素がＵＥ１２０から受信される。上記のように、フィードバック情報要素のうちの少なくとも２つを異なるサブバンド粒度と関連付けることができる。代替として、又はさらに加えて、フィードバック情報要素のうちの少なくとも１つは、プリコーダ列ベクトルの部分組の選択を示すことができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。
【００９４】
図１２は、無線通信装置１２００の一部分のブロック図表現である。アンテナの特徴、例えば送信アンテナ構成、により幾つかのコードブックから１つのコードブックを選択するためにモジュール１２０２が提供される。それらのコードブックの各々は、幾つかのアンテナの特徴のうちの１つ、例えば図４Ａ乃至Ｆにおいて例示された送信アンテナ構成、と関連付けることができる。ＵＥ１２０に選択されたコードブックの指示を送信するためにモジュール１２０４が提供される。一例においては、選択されたコードブックの指示は、コードブック自体よりも少ない情報を含むことができる。ＵＥ１２０からフィードバック情報要素を受信するためにモジュール１２０６が提供される。上記のように、フィードバック情報要素のうちの少なくとも２つを異なるサブバンド粒度と関連付けることができる。代替として、又はさらに加えて、フィードバック情報要素のうちの少なくとも１つは、プリコーダ列ベクトルの部分組の選択を示すことができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。
【００９５】
図１３は、無線通信方法１３００のフローチャート表現である。ボックス１３０２において、幾つかのコードブックのうちの１つの指示が基地局から受信される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。
【００９６】
ボックス１３０４において、示されたコードブックを用いてフィードバック情報要素を決定することができる。上記のように、フィードバック情報要素のうちの少なくとも２つを異なるサブバンド粒度と関連付けることができる。代替として、又はさらに加えて、フィードバック情報要素のうちの少なくとも１つは、プリコーダ列ベクトルの部分組の選択を示すことができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。ボックス１３０６において、フィードバック情報要素は、基地局１１０に送信することができる。
【００９７】
図１４は、無線通信装置１４００の一部分のブロック図表現である。基地局から幾つかのコードブックのうちの１つの指示を受信するためにモジュール１４０２が提供される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。チャネル状態情報フィードバックは、幾つかのフィードバック情報要素を含むことができる。示されたコードブックを用いてフィードバック情報要素を決定するためにモジュール１４０４が提供される。フィードバック情報要素のうちの少なくとも２つを異なるサブバンド粒度と関連付けることができる。基地局１１０にフィードバック情報要素を送信するためにモジュール１４０６が提供される。
【００９８】
図１５は、無線通信方法１５００のフローチャート表現である。ボックス１５０２において、アンテナの特徴、例えば送信アンテナ構成、により幾つかのコードブックから１つのコードブックが選択される。それらのコードブックの各々は、幾つかのアンテナの特徴のうちの１つ、例えば図４Ａ乃至Ｆにおいて例示された送信アンテナ構成、と関連付けることができる。
【００９９】
ボックス１５０４において、選択されたコードブックの指示がＵＥ１２０に送信される。一例においては、選択されたコードブックの指示は、コードブック自体よりも少ない情報を含むことができる。ボックス１５０６において、ＵＥ１２０からフィードバック情報要素が受信される。フィードバック情報要素のうちの少なくとも１つは、プリコーダ列ベクトルの部分組の選択を示すことができる。基地局は、示されたプリコーダ列ベクトルの部分組を用いて信号をプリコーディングするための１つ以上のプリコーダを決定することができる。代替として、又はさらに加えて、上記のように、フィードバック情報要素のうちの少なくとも２つを異なるサブバンド粒度と関連付けることができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。
【０１００】
図１６は、無線通信装置１６００の一部分のブロック図表現である。アンテナの特徴、例えば送信アンテナ構成、により幾つかのコードブックから１つのコードブックを選択するためにモジュール１６０２が提供される。それらのコードブックの各々は、幾つかのアンテナの特徴のうちの１つ、例えば図４Ａ乃至Ｆにおいて例示された送信アンテナ構成、と関連付けることができる。ＵＥ１２０に選択されたコードブックの指示を送信するためにモジュール１６０４が提供される。一例においては、選択されたコードブックの指示は、コードブック自体よりも少ない情報を含むことができる。ＵＥ１２０からフィードバック情報要素を受信するためにモジュール１６０６が提供される。フィードバック情報要素のうちの少なくとも１つは、プリコーダ列ベクトルの部分組、例えば、列置換組、の選択を示すことができる。代替として、又はさらに加えて、上記のように、フィードバック情報要素のうちの少なくとも２つを異なるサブバンド粒度と関連付けることができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。
【０１０１】
図１７は、無線通信方法１７００のフローチャート表現である。ボックス１７０２において、幾つかのコードブックのうちの１つの指示が基地局から受信される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。
【０１０２】
ボックス１７０４において、示されたコードブックを用いてフィードバック情報要素を決定することができる。フィードバック情報要素のうちの少なくとも１つは、プリコーダ列ベクトルの部分組の選択を示すことができる。代替として、又はさらに加えて、上記のように、フィードバック情報要素のうちの少なくとも２つを異なるサブバンド粒度と関連付けることができる。代替として、又はさらに加えて、フィードバック情報要素のうちの少なくとも１つは、送信アンテナの２つのグループ間の位相オフセットを示すことができる。この例においては、送信アンテナの第１のグループは、［０，１，．．．，ｍ］であることができ、送信アンテナの第２のグループは、［ｍ＋１，ｍ＋２，．．．Ｎｔｘ−１］であることができ、ここで、Ｎｔｘは、送信アンテナの総数であり、ｍは、少なくとも１つのフィードバック情報要素に対応する。ボックス１７０６において、フィードバック情報要素は、基地局１１０に送信することができる。
【０１０３】
図１８は、無線通信装置１８００の一部分のブロック図表現である。基地局から幾つかのコードブックのうちの１つの指示を受信するためにモジュール１８０２が提供される。それらのコードブックの各々は、幾つかのアンテナの特徴のうちの１つ、例えば図４Ａ乃至Ｆにおいて例示された送信アンテナ構成、と関連付けることができる。一例においては、選択されたコードブックの指示は、コードブック自体よりも少ない情報を含むことができる。例えば、幾つかのコードブックの各々をメモリに格納することができ、それらのコードブックのうちの１つの受信された指示を用いて示されたコードブックをメモリから取り出すことができる。チャネル状態情報フィードバックは、幾つかのフィードバック情報要素を含むことができる。示されたコードブックを用いてフィードバック情報要素を決定するためにモジュール１８０４が提供される。フィードバック情報要素のうちの少なくとも１つは、プリコーダ列ベクトルの部分組の選択を示すことができる。基地局１１０にフィードバック情報要素を送信するためにモジュール１８０６が提供される。
【０１０４】
図１９は、無線通信方法のフローチャート表現１９００である。動作１９０２において、例えば、基地局１１０においてパラメータが受信される。動作１９０４において、受信されたパラメータに基づくプリコーダの組が構築される。ステップ１９０６において、プリコーダの組を用いて信号がプリコーディングされる。ステップ１９０８において、プリコーディングされた信号が例えば基地局１１０からＵＥ１２０に送信される。それらのパラメータのうちの少なくとも１つに、送信アンテナ構成に基づく数のサブバンドリソースブロックが割り当てられ、例えば、表２及び３においてパラメータａ０、ｂ０、ｃ０、ｃ１、ｄ１、ｄ２、及びｄ３に関して示される割り当てである。
【０１０５】
図２０は、無線通信のための装置の図形表現である。パラメータを受信するためにモジュール２００２が提供される。受信されたパラメータに基づいてコードブックを構築するためにモジュール２００４が提供される。コードブックを用いて信号をプリコーディングするためにモジュール２００６が提供される。プリコーディングされた信号を送信するためにモジュール２００８が提供される。それらのパラメータのうちの少なくとも１つに、送信アンテナ構成に基づく数のサブバンドリソースブロックが割り当てられる。
【０１０６】
開示されたプロセスにおけるステップの特定の順序又は階層は、典型的な手法の一例であることが理解される。設計上の優先度に基づき、プロセス内のステップの特定の順序又は階層は、本開示の適用範囲内にとどまりつつ再編することができることが理解される。添付された方法請求項は、様々なステップの要素を見本の順序で提示したものであり、提示された特定の順序又は階層に限定されることは意味しない。
【０１０７】
当業者は、情報及び信号は様々な異なる技術及び技法のうちのいずれかを用いて表すことができることを理解するであろう。例えば、上記の説明全体を通じて参照されることがあるデータ、命令、コマンド、情報、信号、ビット、シンボル、及びチップは、電圧、電流、電磁波、磁場、磁粒子、光学場、光学粒子、又はそれらのあらゆる組合せによって表すことができる。
【０１０８】
語句“典型的な”は、１つの例、事例、又は実例を提供することを意味するためにここにおいて用いられる。ここにおいて“典型的な”として説明されるいずれの態様又は設計も、その他の態様又は設計よりも好ましい又は有利であるとは必ずしも解釈されるべきではない。
【０１０９】
ここにおいて開示される実施形態と関係させて説明される様々な例示的な論理ブロック、モジュール、及び回路（例えば、識別子、割り当て器、送信機及び割り振り器）は、ここにおいて説明される機能を果たすように設計された汎用プロセッサ、デジタル信号プロセッサ（ＤＳＰ）、特定用途向け集積回路（ＡＳＩＣ）、フィールドプログラマブルゲートアレイ（ＦＰＧＡ）又はその他のプログラマブル論理デバイス、ディスクリートゲートロジック、ディスクリートトランジスタロジック、ディスクリートハードウェアコンポーネント、又はそれらのあらゆる組合せ、を用いて実装又は実行することができる。汎用プロセッサは、マイクロプロセッサであることができるが、代替においては、プロセッサは、どのようなプロセッサ、コントローラ、マイクロコントローラ、又はステートマシンであってもよい。プロセッサは、計算デバイスの組合せ、例えば、ＤＳＰと、１つのマイクロプロセッサとの組合せ、複数のマイクロプロセッサとの組合せ、ＤＳＰコアと関連する１つ以上のマイクロプロセッサとの組合せ、又はその他のあらゆる該構成との組合せ、として実装することもできる。
【０１１０】
１つ以上の典型的な実施形態において、説明される機能は、ハードウェア、ソフトウェア、ファームウェア、又はそれらの組み合わせにおいて実装することができる。ソフトウェアにおいて実装される場合は、これらの機能は、１つ以上の命令又は符号としてコンピュータによって読み取り可能な媒体に格納すること又は符号化することができる。コンピュータによって読み取り可能な媒体は、コンピュータ記憶媒体を含む。記憶媒体は、コンピュータによってアクセス可能なあらゆる利用可能な媒体であることができる。一例として、及び限定することなしに、該コンピュータによって読み取り可能な媒体は、ＲＡＭ、ＲＯＭ、ＥＥＰＲＯＭ、ＣＤ−ＲＯＭ又はその他の光学ディスク記憶装置、磁気ディスク記憶装置又はその他の磁気記憶装置、又は、命令又はデータ構造の形態で希望されるプログラムコードを搬送又は格納するために用いることができ及びコンピュータによってアクセス可能であるその他の媒体、を備えることができる。ここにおいて用いられるときのディスク（ｄｉｓｋ及びｄｉｓｃ）は、コンパクトディスク（ＣＤ）（ｄｉｓｃ）と、レーザディスク（ｄｉｓｃ）と、光ディスク（ｄｉｓｃ）と、デジタルバーサタイルディスク（ＤＶＤ）（ｄｉｓｃ）と、フロッピー（登録商標）ディスク（ｄｉｓｋ）と、ブルーレイディスク（ｄｉｓｃ）と、を含み、ここで、ｄｉｓｋは、通常は磁気的にデータを複製し、ｄｉｓｃは、通常はレーザを用いて光学的にデータを複製する。上記の組合せも、コンピュータによって読み取り可能な媒体の適用範囲に含めるべきである。
【０１１１】
開示された実施形態に関する前の説明は、当業者が本開示を製造又は使用することを可能にするために提供される。これらの実施形態に対する様々な修正は、当業者にとって容易に明確になるであろう、及びここにおいて定められる一般原理は、本開示の精神又は適用範囲を逸脱せずにその他の実施形態に対しても適用することができる。以上のように、本開示は、ここにおいて示される実施形態に限定されることが意図されるものではなく、ここにおいて開示される原理及び新規の特徴に一致する限りにおいて最も広範な適用範囲が認められるべきである。
【０１１２】
上述される典型的なシステムに鑑みて、開示された主題により実装することができる方法は、幾つかの流れ図を参照して説明されている。説明の単純化を目的として、方法は、一連のブロックとして示されて説明される一方で、幾つかのブロックは、ここにおいて示されて説明される順序と異なる順序で及び／又はその他のブロックと同時並行して生じることができるため、請求された主題はブロックの順序によって限定されないことが理解及び評価されるべきである。さらに、ここにおいて説明される方法を実装するためにすべての例示されるブロックが要求されるわけではない。さらに、ここにおいて開示された方法は、該方法をコンピュータにトランスポート及び転送するのを容易にするために製造品上に格納することができることがさらに評価されるべきである。ここにおいて用いられる場合における用語製造品は、あらゆるコンピュータによって読み取り可能なデバイス、キャリア、又は媒体からアクセス可能なコンピュータプログラムを包含することが意図される。
【図１】
2014222916.tif 000017
【図２】
2014222916.tif 000018
【図３】
2014222916.tif 000019
【図４Ａ】
2014222916.tif 000020
【図４Ｂ】
2014222916.tif 000021
【図４Ｃ】
2014222916.tif 000022
【図４Ｄ】
2014222916.tif 000023
【図４Ｅ】
2014222916.tif 000024
【図４Ｆ】
2014222916.tif 000025
【図５】
2014222916.tif 000026
【図６】
2014222916.tif 000027
【図７】
2014222916.tif 000028
【図８】
2014222916.tif 000029
【図９】
2014222916.tif 000030
【図１０】
2014222916.tif 000031
【図１１】
2014222916.tif 000032
【図１２】
2014222916.tif 000033
【図１３】
2014222916.tif 000034
【図１４】
2014222916.tif 000035
【図１５】
2014222916.tif 000036
【図１６】
2014222916.tif 000037
【図１７】
2014222916.tif 000038
【図１８】
2014222916.tif 000039
【図１９】
2014222916.tif 000040
【図２０】
2014222916.tif 000041
【手続補正書】
【提出日】平成26年8月4日(2014.8.4)
【手続補正１】
【補正対象書類名】特許請求の範囲
【補正対象項目名】全文
【補正方法】変更
【補正の内容】
【特許請求の範囲】
【請求項１】
アンテナの特徴により複数のコードブックから１つのコードブックを選択することであって、前記複数のコードブックの各々は、複数のアンテナの特徴のうちの１つと関連付けられることと、
前記選択されたコードブックの指示を送信することと、を備える、無線通信のための方法。
【手続補正書】
【提出日】平成26年10月2日(2014.10.2)
【手続補正１】
【補正対象書類名】特許請求の範囲
【補正対象項目名】全文
【補正方法】変更
【補正の内容】
【特許請求の範囲】
【請求項１】
ユーザ装置から複数のチャネル位相フィードバック情報要素を受信することであって、前記複数のチャネル位相フィードバック情報のうちの少なくとも２つは、異なるサブバンド粒度と関連付けられることを備える、無線通信のための方法。
【請求項２】
前記複数のチャネル位相フィードバック情報要素のうちの少なくとも１つに基づいてダウンリンクスケジューリングを決定すること、及び
前記複数のチャネル位相フィードバック情報要素のうちの少なくとも１つに基づいてダウンリンクプリコーディングを決定することのうちの１つをさらに含む請求項１に記載の方法。
【請求項３】
前記複数のチャネル位相フィードバック情報要素のうちの少なくとも１つは、送信アンテナの２つのグループ間の位相オフセットを示す請求項１に記載の方法。
【請求項４】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項３に記載の方法。
【請求項５】
ユーザ装置から複数のチャネル位相フィードバック情報要素を受信するための手段であって、前記複数のチャネル位相フィードバック情報要素のうちの少なくとも２つは、異なるサブバンド粒度と関連付けられる手段、を備える、無線通信のための装置。
【請求項６】
前記複数のチャネル位相フィードバック情報要素のうちの少なくとも１つに基づいてダウンリンクスケジューリングを決定するための手段、及び
前記複数のチャネル位相フィードバック情報要素のうちの少なくとも１つに基づいてダウンリンクプリコーディングを決定するための手段のうちの１つをさらに含む請求項５に記載の装置。
【請求項７】
前記複数のチャネル位相フィードバック情報要素のうちの少なくとも１つは、送信アンテナの２つのグループ間の位相オフセットを示す請求項５に記載の装置。
【請求項８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項７に記載の装置。
【請求項９】
複数のコードブックのうちの１つのコードブックを用いて複数のチャネル位相フィードバック情報要素を決定することであって、前記複数のチャネル位相フィードバック情報要素のうちの少なくとも２つは、異なるサブバンド粒度と関連付けられることと、
基地局に前記複数のチャネル位相フィードバック情報要素を送信することと、を備える、無線通信のための方法。
【請求項１０】
前記複数のチャネル位相フィードバック情報要素のうちの少なくとも１つは、送信アンテナの２つのグループ間の位相オフセットを示す請求項９に記載の方法。
【請求項１１】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項１０に記載の方法。
【請求項１２】
複数のコードブックのうちの１つのコードブックを用いて複数のチャネル位相フィードバック情報要素を決定するための手段であって、前記複数のチャネル位相フィードバック情報要素のうちの少なくとも２つは、異なるサブバンド粒度と関連付けられる手段と、
基地局に前記複数のチャネル位相フィードバック情報要素を送信するための手段と、を備える、無線通信のための装置。
【請求項１３】
前記複数のチャネル位相フィードバック情報要素のうちの少なくとも１つは、送信アンテナの２つのグループ間の位相オフセットを示す請求項１２に記載の装置。
【請求項１４】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応する請求項１３に記載の装置。
【請求項１５】
ユーザ装置から複数のフィードバック情報要素を受信することであって、前記複数のフィードバック情報要素のうちの少なくとも１つは、プリコーダ列ベクトルの部分組の選択を示すことを備える、無線通信のための方法。
【請求項１６】
前記複数のフィードバック情報要素のうちの少なくとも１つに基づいてダウンリンクスケジューリングを決定すること、及び
前記複数のフィードバック情報要素のうちの少なくとも１つに基づいてダウンリンクプリコーディングを決定することのうちの１つをさらに含む請求項１５に記載の方法。
【請求項１７】
前記複数のフィードバック情報要素のうちの少なくとも１つは、送信アンテナの２つのグループ間の位相オフセットを示す請求項１５に記載の方法。
【請求項１８】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項１７に記載の方法。
【請求項１９】
ユーザ装置から複数のフィードバック情報要素を受信するための手段であって、前記複数のフィードバック情報要素のうちの少なくとも１つは、プリコーダ列ベクトルの部分組の選択を示す手段、を備える、無線通信のための装置。
【請求項２０】
前記複数のフィードバック情報要素のうちの少なくとも１つに基づいてダウンリンクスケジューリングを決定するための手段、及び
前記複数のフィードバック情報要素のうちの少なくとも１つに基づいてダウンリンクプリコーディングを決定するための手段のうちの１つをさらに含む請求項１９に記載の装置。
【請求項２１】
前記複数のフィードバック情報要素のうちの少なくとも１つは、送信アンテナの２つのグループ間の位相オフセットを示す請求項１９に記載の装置。
【請求項２２】
送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応する請求項２１に記載の装置。
【手続補正２】
【補正対象書類名】明細書
【補正対象項目名】０１１２
【補正方法】変更
【補正の内容】
【０１１２】
上述される典型的なシステムに鑑みて、開示された主題により実装することができる方法は、幾つかの流れ図を参照して説明されている。説明の単純化を目的として、方法は、一連のブロックとして示されて説明される一方で、幾つかのブロックは、ここにおいて示されて説明される順序と異なる順序で及び／又はその他のブロックと同時並行して生じることができるため、請求された主題はブロックの順序によって限定されないことが理解及び評価されるべきである。さらに、ここにおいて説明される方法を実装するためにすべての例示されるブロックが要求されるわけではない。さらに、ここにおいて開示された方法は、該方法をコンピュータにトランスポート及び転送するのを容易にするために製造品上に格納することができることがさらに評価されるべきである。ここにおいて用いられる場合における用語製造品は、あらゆるコンピュータによって読み取り可能なデバイス、キャリア、又は媒体からアクセス可能なコンピュータプログラムを包含することが意図される。
以下に本願出願当初の特許請求の範囲を付記する。
[Ｃ１]  アンテナの特徴により複数のコードブックから１つのコードブックを選択することであって、前記複数のコードブックの各々は、複数のアンテナの特徴のうちの１つと関連付けられることと、
前記選択されたコードブックの指示を送信することと、を備える、無線通信のための方法。
[Ｃ２]  前記アンテナの特徴は、アンテナ構成を含むＣ１に記載の方法。
[Ｃ３]  前記選択されたコードブックの前記指示を前記送信することは、ユーザ装置（ＵＥ）に前記選択されたコードブックの前記指示を送信することをさらに含み、
前記ＵＥからチャネル状態情報フィードバックを受信することをさらに含むＣ１に記載の方法。
[Ｃ４]  前記チャネル状態情報フィードバックに基づいてダウンリンクスケジューリングを決定すること、及び
前記チャネル状態情報フィードバックに基づくダウンリンクプリコーディングのうちの１つをさらに含むＣ３に記載の方法。
[Ｃ５]  前記チャネル状態情報フィードバックは、複数のフィードバック情報要素を含むＣ３に記載の方法。
[Ｃ６]  前記複数のフィードバック情報要素のうちの少なくとも２つは、異なるサブバンド粒度と関連付けられるＣ５に記載の方法。
[Ｃ７]  前記複数のフィードバック情報要素のうちの少なくとも１つは、送信アンテナの２つのグループ間の位相オフセットを示すＣ５に記載の方法。
[Ｃ８]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ７に記載の方法。
[Ｃ９]  前記複数のフィードバック情報要素のうちの少なくとも１つは、プリコーダ列ベクトルの部分組の選択を示すＣ５に記載の方法。
[Ｃ１０]  アンテナの特徴により複数のコードブックから１つのコードブックを選択するための手段であって、前記複数のコードブックの各々は、複数のアンテナの特徴のうちの１つと関連付けられる手段と、
前記選択されたコードブックの指示を送信するための手段と、を備える、無線通信のための装置。
[Ｃ１１]  前記アンテナの特徴は、アンテナ構成を含むＣ１０に記載の装置。
[Ｃ１２]  前記選択されたコードブックの前記指示を送信するための前記手段は、ユーザ装置（ＵＥ）に前記選択されたコードブックの前記指示を送信するための手段をさらに含み、
前記ＵＥからチャネル状態情報フィードバックを受信するための手段をさらに含むＣ１０に記載の装置。
[Ｃ１３]  前記チャネル状態情報フィードバックに基づいてダウンリンクスケジューリングを決定するための手段、及び
前記チャネル状態情報フィードバックに基づいてダウンリンクプリコーディングを決定するための手段のうちの１つをさらに含むＣ１２に記載の装置。
[Ｃ１４]  前記チャネル状態情報フィードバックは、複数のフィードバック情報要素を含むＣ１２に記載の装置。
[Ｃ１５]  前記複数のフィードバック情報要素のうちの少なくとも２つは、異なるサブバンド粒度と関連付けられるＣ１４に記載の装置。
[Ｃ１６]  前記複数のフィードバック情報要素のうちの少なくとも１つは、送信アンテナの２つのグループ間の位相オフセットを示すＣ１４に記載の装置。
[Ｃ１７]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ１６に記載の装置。
[Ｃ１８]  前記複数のフィードバック情報要素のうちの少なくとも１つは、プリコーダ列ベクトルの部分組の選択を示すＣ１４に記載の装置。
[Ｃ１９]  アンテナの特徴により複数のコードブックから１つのコードブックを選択し及び前記選択されたコードブックの指示を送信するように構成された少なくとも１つのプロセッサであって、前記複数のコードブックの各々は、複数のアンテナの特徴のうちの１つと関連付けられる少なくとも１つのプロセッサと、
前記少なくとも１つのプロセッサに結合されたメモリと、を備える、無線通信のための装置。
[Ｃ２０]  前記アンテナの特徴は、アンテナ構成を含むＣ１９に記載の装置。
[Ｃ２１]  アンテナの特徴により複数のコードブックから１つのコードブックを選択することを少なくとも１つのプロセッサに行わせるための命令であって、前記複数のコードブックの各々は、複数のアンテナの特徴のうちの１つと関連付けられる命令と、
前記選択されたコードブックの指示を送信することを前記少なくとも１つのプロセッサに行わせるための命令と、を備えるコンピュータによって読み取り可能な媒体、を備える、コンピュータプログラム製品。
[Ｃ２２]  前記アンテナの特徴は、アンテナ構成を含むＣ２１に記載のコンピュータプログラム製品。
[Ｃ２３]  複数のコードブックのうちの１つのコードブックの指示を受信することであって、前記複数のコードブックの各々は、複数のアンテナの特徴のうちの１つと関連付けられることと、
前記複数のコードブックのうちの前記コードブックを用いてチャネル状態情報フィードバックを決定することと、
前記チャネル状態情報フィードバックを送信することと、を備える、無線通信のための方法。
[Ｃ２４]  前記アンテナの特徴は、アンテナ構成を含むＣ２３に記載の方法。
[Ｃ２５]  前記チャネル状態情報フィードバックは、複数のフィードバック情報要素を含むＣ２３に記載の方法。
[Ｃ２６]  前記複数のフィードバック情報要素のうちの少なくとも２つは、異なるサブバンド粒度と関連付けられるＣ２５に記載の方法。
[Ｃ２７]  前記複数のフィードバック情報要素のうちの少なくとも１つは、送信アンテナの２つのグループ間の位相オフセットを示すＣ２５に記載の方法。
[Ｃ２８]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ２７に記載の方法。
[Ｃ２９]  前記複数のフィードバック情報要素のうちの少なくとも１つは、プリコーダ列ベクトルの部分組の選択を示すＣ２５に記載の方法。
[Ｃ３０]  複数のコードブックのうちの１つのコードブックの指示を受信するための手段であって、前記複数のコードブックの各々は、複数のアンテナの特徴のうちの１つと関連付けられる手段と、
前記複数のコードブックのうちの前記コードブックを用いてチャネル状態情報フィードバックを決定するための手段と、
前記チャネル状態情報フィードバックを送信するための手段と、を備える、無線通信のための装置。
[Ｃ３１]  前記アンテナの特徴は、アンテナ構成を含むＣ３０に記載の装置。
[Ｃ３２]  前記チャネル状態情報フィードバックは、複数のフィードバック情報要素を含むＣ３０に記載の装置。
[Ｃ３３]  前記複数のフィードバック情報要素のうちの少なくとも２つは、異なるサブバンド粒度と関連付けられるＣ３２に記載の装置。
[Ｃ３４]  前記複数のフィードバック情報要素のうちの少なくとも１つは、送信アンテナの２つのグループ間の位相オフセットを示すＣ３２に記載の装置。
[Ｃ３５]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ３４に記載の装置。
[Ｃ３６]  前記複数のフィードバック情報要素のうちの少なくとも１つは、プリコーダ列ベクトルの部分組の選択を示すＣ３２に記載の装置。
[Ｃ３７]  複数のコードブックのうちの１つコードブックの指示を受信し、前記複数のコードブックのうちの前記コードブックを用いてチャネル状態情報フィードバックを決定し、及び前記チャネル状態情報フィードバックを送信するように構成された少なくとも１つのプロセッサであって、前記複数のコードブックの各々は、複数のアンテナの特徴のうちの１つと関連付けられる少なくとも１つのプロセッサと、
前記少なくとも１つのプロセッサに結合されたメモリと、を備える、無線通信のための装置。
[Ｃ３８]  前記アンテナの特徴は、アンテナ構成を含むＣ３７に記載の装置。
[Ｃ３９]  複数のコードブックのうちの１つのコードブックの指示を受信することを少なくとも１つのプロセッサに行わせるための命令であって、前記複数のコードブックの各々は、複数のアンテナの特徴のうちの１つと関連付けられる命令と、
前記複数のコードブックのうちの前記コードブックを用いてチャネル状態情報フィードバックを決定することを前記少なくとも１つのプロセッサに行わせるための命令と、
前記チャネル状態情報フィードバックを送信することを前記少なくとも１つのプロセッサに行わせるための命令と、を備えるコンピュータによって読み取り可能な媒体、を備える、コンピュータプログラム製品。
[Ｃ４０]  前記アンテナの特徴は、アンテナ構成を含むＣ３９に記載のコンピュータプログラム製品。
[Ｃ４１]  ユーザ装置から複数のチャネル位相フィードバック情報要素を受信することであって、前記複数のチャネル位相フィードバック情報のうちの少なくとも２つは、異なるサブバンド粒度と関連付けられることを備える、無線通信のための方法。
[Ｃ４２]  前記複数のチャネル位相フィードバック情報要素のうちの少なくとも１つに基づいてダウンリンクスケジューリングを決定すること、及び
前記複数のチャネル位相フィードバック情報要素のうちの少なくとも１つに基づいてダウンリンクプリコーディングを決定することのうちの１つをさらに含むＣ４１に記載の方法。
[Ｃ４３]  前記複数のチャネル位相フィードバック情報要素のうちの少なくとも１つは、送信アンテナの２つのグループ間の位相オフセットを示すＣ４１に記載の方法。
[Ｃ４４]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応するＣ４３に記載の方法。
[Ｃ４５]  ユーザ装置から複数のチャネル位相フィードバック情報要素を受信するための手段であって、前記複数のチャネル位相フィードバック情報要素のうちの少なくとも２つは、異なるサブバンド粒度と関連付けられる手段、を備える、無線通信のための装置。
[Ｃ４６]  前記複数のチャネル位相フィードバック情報要素のうちの少なくとも１つに基づいてダウンリンクスケジューリングを決定するための手段、及び
前記複数のチャネル位相フィードバック情報要素のうちの少なくとも１つに基づいてダウンリンクプリコーディングを決定するための手段のうちの１つをさらに含むＣ４５に記載の装置。
[Ｃ４７]  前記複数のチャネル位相フィードバック情報要素のうちの少なくとも１つは、送信アンテナの２つのグループ間の位相オフセットを示すＣ４５に記載の装置。
[Ｃ４８]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応するＣ４７に記載の装置。
[Ｃ４９]  前記複数のコードブックのうちの１つのコードブックを用いて複数のチャネル位相フィードバック情報要素を決定することであって、前記複数のチャネル位相フィードバック情報要素のうちの少なくとも２つは、異なるサブバンド粒度と関連付けられることと、
基地局に前記複数のチャネル位相フィードバック情報要素を送信することと、を備える、無線通信のための方法。
[Ｃ５０]  前記複数のチャネル位相フィードバック情報要素のうちの少なくとも１つは、送信アンテナの２つのグループ間の位相オフセットを示すＣ４９に記載の方法。
[Ｃ５１]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応するＣ５０に記載の方法。
[Ｃ５２]  前記複数のコードブックのうちの１つのコードブックを用いて複数のチャネル位相フィードバック情報要素を決定するための手段であって、前記複数のチャネル位相フィードバック情報要素のうちの少なくとも２つは、異なるサブバンド粒度と関連付けられる手段と、
基地局に前記複数のチャネル位相フィードバック情報要素を送信するための手段と、を備える、無線通信のための装置。
[Ｃ５３]  前記複数のチャネル位相フィードバック情報要素のうちの少なくとも１つは、送信アンテナの２つのグループ間の位相オフセットを示すＣ５２に記載の装置。
[Ｃ５４]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のチャネル位相フィードバック情報要素のうちの前記少なくとも１つに対応するＣ５３に記載の装置。
[Ｃ５５]  ユーザ装置から複数のフィードバック情報要素を受信することであって、前記複数のフィードバック情報要素のうちの少なくとも１つは、プリコーダ列ベクトルの部分組の選択を示すことを備える、無線通信のための方法。
[Ｃ５６]  前記複数のフィードバック情報要素のうちの少なくとも１つに基づいてダウンリンクスケジューリングを決定すること、及び
前記複数のフィードバック情報要素のうちの少なくとも１つに基づいてダウンリンクプリコーディングを決定することのうちの１つをさらに含むＣ５５に記載の方法。
[Ｃ５７]  前記複数のフィードバック情報要素のうちの少なくとも１つは、送信アンテナの２つのグループ間の位相オフセットを示すＣ５５に記載の方法。
[Ｃ５８]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ５７に記載の方法。
[Ｃ５９]  ユーザ装置から複数のフィードバック情報要素を受信するための手段であって、前記複数のフィードバック情報要素のうちの少なくとも１つは、プリコーダ列ベクトルの部分組の選択を示す手段、を備える、無線通信のための装置。
[Ｃ６０]  前記複数のフィードバック情報要素のうちの少なくとも１つに基づいてダウンリンクスケジューリングを決定するための手段、及び
前記複数のフィードバック情報要素のうちの少なくとも１つに基づいてダウンリンクプリコーディングを決定するための手段のうちの１つをさらに含むＣ５９に記載の装置。
[Ｃ６１]  前記複数のフィードバック情報要素のうちの少なくとも１つは、送信アンテナの２つのグループ間の位相オフセットを示すＣ５９に記載の装置。
[Ｃ６２]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ６１に記載の装置。
[Ｃ６３]  基地局から複数のコードブックのうちの１つのコードブックの指示を受信することであって、前記複数のコードブックの各々は、複数のアンテナの特徴のうちの１つと関連付けられることと、
前記複数のコードブックのうちの前記コードブックを用いて複数のフィードバック情報要素を決定することであって、前記複数のフィードバック情報要素のうちの少なくとも１つは、プリコーダ列ベクトルの部分組の選択を示すことと、
前記基地局に前記複数のフィードバック情報要素を送信することと、を備える、無線通信のための方法。
[Ｃ６４]  前記アンテナの特徴は、アンテナ構成を含むＣ６３に記載の方法。
[Ｃ６５]  前記複数のフィードバック情報要素のうちの少なくとも１つは、送信アンテナの２つのグループ間の位相オフセットを示すＣ６３に記載の方法
[Ｃ６６]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ６５に記載の方法。
[Ｃ６７]  基地局から複数のコードブックのうちの１つのコードブックの指示を受信するための手段であって、前記複数のコードブックの各々は、複数のアンテナの特徴のうちの１つと関連付けられる手段と、
前記複数のコードブックのうちの前記コードブックを用いて複数のフィードバック情報要素を決定するための手段であって、前記複数のフィードバック情報要素のうちの少なくとも１つは、プリコーダ列ベクトルの部分組の選択を示す手段と、
前記基地局に前記複数のフィードバック情報要素を送信するための手段と、を備える、無線通信のための装置。
[Ｃ６８]  前記アンテナの特徴は、アンテナ構成を含むＣ６７に記載の装置。
[Ｃ６９]  前記複数のフィードバック情報要素のうちの少なくとも１つは、送信アンテナの２つのグループ間の位相オフセットを示すＣ６７に記載の装置
[Ｃ７０]  送信アンテナの前記２つのグループのうちの第１のグループは、［０，１，．．．，ｍ］を含み、送信アンテナの前記２つのグループのうちの第２のグループは、［ｍ＋１，ｍ＋２，．．．Ｎｔｘ−１］を含み、Ｎｔｘは、前記送信アンテナの総数を含み、ｍは、前記複数のフィードバック情報要素のうちの前記少なくとも１つに対応するＣ６９に記載の装置。
【外国語明細書】
2014222916000001.pdf